(57)【要約】  送信データに対するリソース割当情報の含まれる制御情報がマッピングされるリソース領域の時間位置に関わらず、受信側におけるデータ受信処理に余裕を持たせることができる送信装置及び送信方法を提供する。基地局１００において、設定部１０１が、サブフレーム内において時間方向で順番に設けられた、ＰＤＣＣＨ領域と、スロット０のＲ−ＰＤＣＣＨ領域と、スロット１のＲ−ＰＤＣＣＨ領域の内から、ＤＣＩが示す下りデータサイズに応じて、そのＤＣＩをマッピングするマッピング領域を設定する。このマッピング領域の設定に用いられる設定ルールテーブルでは、ＰＤＣＣＨ領域、スロット０のＲ−ＰＤＣＣＨ領域、及びスロット１のＲ−ＰＤＣＣＨ領域と、各リソース領域に設定可能なＤＣＩが示す下りデータサイズのサイズ上限値とが対応付けられている。
2012042889.tif 000002
【特許請求の範囲】
【請求項１】
送信データに割り当てるリソース領域に関する情報及び前記送信データのサイズに関するデータサイズ情報を含む制御情報をマッピングするマッピング領域を設定する手段であって、通信単位時間内において時間方向で順番に設けられた、第１から第Ｎ（Ｎは、２以上の自然数）のリソース領域の内から、処理対象の制御情報に対する前記マッピング領域を、前記処理対象の制御情報が示すデータサイズに応じて設定する設定手段と、
前記設定されたマッピング領域に、前記処理対象の制御情報をマッピングして送信するマッピング制御手段と、
を具備する送信装置。
【請求項２】
前記第１から第Ｎのリソース領域と、各リソース領域に設定可能な制御情報が示す下りデータサイズのサイズ上限値とが対応付けられ、前記第１から第Ｎのリソース領域の内の第ｎ（ｎは、２以上Ｎ以下の自然数）のリソース領域についてのサイズ上限値が第ｎ−１のリソース領域についてのサイズ上限値よりも小さい、設定ルールテーブルを具備し、
前記設定手段は、前記処理対象の制御情報が示すデータサイズと、前記設定ルールテーブルとに基づいて、前記マッピング領域を設定する、
請求項１に記載の送信装置。
【請求項３】
前記設定手段は、第ｎ＋１のリソース領域についてのサイズ上限値より大きく、且つ、第ｎのリソース領域についてのサイズ上限値以下のデータサイズを示す、処理対象の制御情報に対して、第１から第ｎ−１のリソース領域よりも、第ｎのリソース領域を優先的に前記マッピング領域として設定する、
請求項２に記載の送信装置。
【請求項４】
前記設定手段は、第ｎ＋１のリソース領域についてのサイズ上限値より大きく、且つ、第ｎのリソース領域についてのサイズ上限値以下の下りデータサイズを示す、処理対象の制御情報に対して、第１のリソース領域よりも、第２から第ｎのリソース領域のいずれかを優先的に前記マッピング領域として設定する、
請求項２に記載の送信装置。
【請求項５】
前記データサイズは、トランスポートブロックサイズとして定義される、
請求項１に記載の送信装置。
【請求項６】
前記データサイズは、コードブロックサイズとコードブロック数との積として定義される、
請求項１に記載の送信装置。
【請求項７】
前記データサイズは、割当リソースブロック数に対応するＭＣＳとして定義される、
請求項１に記載の送信装置。
【請求項８】
送信データに割り当てるリソース領域に関する情報及び前記送信データのサイズに関するデータサイズ情報を含む制御情報をマッピングするマッピング領域を設定する手段であって、通信単位時間内において時間方向で順番に設けられた、第１から第Ｎ（Ｎは、２以上の自然数）のリソース領域の内から、処理対象の制御情報に対する前記マッピング領域を、前記処理対象の制御情報が示すデータサイズに応じて設定し、
前記設定されたマッピング領域に、前記処理対象の制御情報をマッピングして送信する、
を具備する送信方法。
【請求項９】
送信データに割り当てるリソース領域に関する情報及び前記送信データのサイズに関するデータサイズ情報を含む制御情報をマッピングするマッピング領域を設定する手段であって、通信単位時間内において時間方向で順番に設けられた、第１から第Ｎ（Ｎは、２以上の自然数）のリソース領域の内から、処理対象の制御情報に対する前記マッピング領域を、前記処理対象の制御情報が示すデータサイズに応じて設定する設定手段と、
前記設定されたマッピング領域に、前記処理対象の制御情報をマッピングして送信するマッピング制御手段と、
を具備し、
前記第１から第Ｎのリソース領域の内、第１のリソース領域についてのサイズ上限値は、タイミングアドバンスト値の最大値に応じて設定され、第２から第Ｎ（Ｎは、２以上の自然数）のリソース領域についてのサイズ上限値は、前記タイミングアドバンスト値に応じて設定され、前記タイミングアドバンスト値は、前記送信データ及び前記制御情報を受信する複数の受信装置から送信された信号の受信タイミングを一致させるために、自装置から前記複数の受信装置のそれぞれへ送信される、
送信装置。
【請求項１０】
前記第１から第Ｎのリソース領域と、各リソース領域に設定可能な制御情報が示す下りデータサイズのサイズ上限値とが対応付けられ、前記第１から第Ｎのリソース領域の内の第ｎ（ｎは、２以上Ｎ以下の自然数）のリソース領域についてのサイズ上限値が第ｎ−１のリソース領域についてのサイズ上限値以下となる、設定ルールテーブルを具備し、
前記設定手段は、第１のリソース領域については、前記処理対象の制御情報及び前記最大値が示すデータサイズと、前記設定ルールテーブルとに基づいて、前記マッピング領域を設定し、第ｎのリソース領域については、前記処理対象の制御情報及び前記タイミングアドバンスト値が示すデータサイズと、前記設定ルールテーブルとに基づいて、前記マッピング領域を設定する、
請求項９に記載の送信装置。
【請求項１１】
前記設定手段は、第ｎ＋１のリソース領域についてのサイズ上限値より大きく、且つ、第ｎのリソース領域についてのサイズ上限値以下のデータサイズを示す、処理対象の制御情報に対して、第１から第ｎ−１のリソース領域よりも、第ｎのリソース領域を優先的に前記マッピング領域として設定する、
請求項１０に記載の送信装置。
【請求項１２】
前記設定手段は、第ｎ＋１のリソース領域についてのサイズ上限値より大きく、且つ、第ｎのリソース領域についてのサイズ上限値以下の下りデータサイズを示す、処理対象の制御情報に対して、第１のリソース領域よりも、第２から第ｎのリソース領域のいずれかを優先的に前記マッピング領域として設定する、
請求項１０に記載の送信装置。
【請求項１３】
前記データサイズは、トランスポートブロックサイズとして定義される、
請求項９に記載の送信装置。
【請求項１４】
前記データサイズは、コードブロックサイズとコードブロック数との積として定義される、
請求項９に記載の送信装置。
【請求項１５】
前記データサイズは、割当リソースブロック数に対応するＭＣＳとして定義される、
請求項９に記載の送信装置。
【請求項１６】
送信データに割り当てるリソース領域に関する情報及び前記送信データのサイズに関するデータサイズ情報を含む制御情報をマッピングするマッピング領域を設定するステップであって、通信単位時間内において時間方向で順番に設けられた、第１から第Ｎ（Ｎは、２以上の自然数）のリソース領域の内から、処理対象の制御情報に対する前記マッピング領域が、前記処理対象の制御情報が示すデータサイズに応じて設定されるステップと、
前記設定されたマッピング領域に、前記処理対象の制御情報をマッピングして送信するステップと、
を具備し、
前記第１から第Ｎのリソース領域の内、第１のリソース領域についてのサイズ上限値は、タイミングアドバンスト値の最大値に応じて設定され、第２から第Ｎ（Ｎは、２以上の自然数）のリソース領域についてのサイズ上限値は、前記タイミングアドバンスト値に応じて設定され、前記タイミングアドバンスト値は、前記送信データ及び前記制御情報を受信する複数の受信装置から送信された信号の受信タイミングを一致させるために、自装置から前記複数の受信装置のそれぞれへ送信される、
送信方法。
【発明の詳細な説明】
【技術分野】
【０００１】
本発明は、送信装置及び送信方法に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。【０００３】
ＬＴＥでは、無線通信基地局装置（以下、「基地局」と省略する）はシステム帯域内のリソースブロック（Resource Block：ＲＢ）を、サブフレームと呼ばれる時間単位毎に無線通信端末装置（以下、「端末」と省略する）に割り当てることにより通信を行う。また、基地局は下り回線データおよび上り回線データのリソース割当結果を通知するための割当制御情報（Ｌ１／Ｌ２制御情報）を端末へ送信する。この割当制御情報は例えばＰＤＣＣＨ（Physical Downlink Control Channel）等の下り回線制御チャネルを用いて端末へ送信される。ここで、ＰＤＣＣＨをマッピングするリソース領域は規定されており、図１に示すように、周波数軸方向では、システム帯域幅全体にわたり、時間軸方向では１サブフレームの先頭１ＯＦＤＭシンボルから３ＯＦＤＭシンボルまでの間で可変である。時間軸方向にどのＯＦＤＭシンボルまでＰＤＣＣＨが占めるかを示す信号がＰＣＦＩＣＨ（Physical Control Format Indicator Channel）によって通知される。【０００４】
また、各ＰＤＣＣＨは１つまたは連続する複数のＣＣＥ（Control Channel Element）で構成されるリソースを占有する。ＰＤＣＣＨでは、１個のＣＣＥが３６個のＲＥ（Resource Element）で構成される。ＬＴＥでは、ＰＤＣＣＨが占有するＣＣＥ数（ＣＣＥ連結数：CCE aggregation levelまたはAggregation level）としては、割当制御情報の情報ビット数または端末の伝搬路状態に応じて、１，２，４，８の中の１つが選択される。なお、ＬＴＥでは、システム帯域幅として最大２０ＭＨｚの幅を持つ周波数帯域がサポートされる。【０００５】
また、基地局から送信される割当制御情報はＤＣＩ（Downlink Control Information）と呼ばれる。基地局は１サブフレームに複数の端末を割り当てる場合、複数のＤＣＩを同時に送信する。このとき、基地局は、各ＤＣＩの送信先の端末を識別するために、送信先の端末ＩＤでマスキング（または、スクランブリング）したＣＲＣビットをＤＣＩに含めて送信する。そして、端末は、自端末宛ての可能性がある複数のＤＣＩにおいて、自端末の端末ＩＤでＣＲＣビットをデマスキング（または、デスクランブリング）することによりＰＤＣＣＨをブラインド復号（ブラインドデコーディング、Blind decoding）して自端末宛のＤＣＩを検出する。【０００６】
また、ＤＣＩには、基地局が端末に対して割り当てた、ＰＤＳＣＨ（Physical Downlink Shared Channel）リソースおよびＰＵＳＣＨ（Physical Uplink Shared Channel）リソースの情報（リソース割当情報（例えば、割当リソースブロック数））が含まれる。また、ＤＣＩには、基地局が端末に対して割り当てた、ＭＣＳ（Modulation and channel Coding Scheme）（例えば、変調多値数、および／または、割当リソースブロック数に対するトランスポートブロックサイズを示す情報）等が含まれる。また、ＤＣＩには、上り回線用、下り回線ＭＩＭＯ（Multiple Input Multiple Output）送信用、下り回線非連続帯域割当用等の複数のフォーマットがある。端末は、複数のフォーマットを有する、下り割当制御情報（下り回線に関する割当制御情報）および上り割当制御情報（上り回線に関する割当制御情報）の両方を受信する必要がある。【０００７】
例えば、下り割当制御情報には、基地局の送信アンテナ制御方法およびリソース割当方法等により複数のサイズのフォーマットが定義される。その複数のフォーマットのうち、連続帯域割当を行う下り割当制御情報フォーマット（以下、単に「下り割当制御情報」という）と、連続帯域割当を行う上り割当制御情報フォーマット（以下、単に「上り割当制御情報」という）とは同一サイズを有する。これらのフォーマット（ＤＣＩフォーマット）には、割当制御情報の種別（下り割当制御情報または上り割当制御情報）を示す種別情報（例えば、１ビットのフラグ）が含まれる。よって、端末は、下り割当制御情報を示すＤＣＩのサイズと、上り割当制御情報を示すＤＣＩのサイズとが同一であっても、割当制御情報に含まれる種別情報を確認することにより、下り割当制御情報または上り割当制御情報のいずれであるかを特定することができる。【０００８】
なお、連続帯域割当を行う上り割当制御情報が送信される際のＤＣＩフォーマットは、ＤＣＩ  ｆｏｒｍａｔ０（以下、ＤＣＩ  ０という）と呼ばれ、連続帯域割当を行う下り割当制御情報が送信される際のＤＣＩフォーマットは、ＤＣＩ  ｆｏｒｍａｔ１Ａ（以下、ＤＣＩ  １Ａという）と呼ばれる。なお、上述したようにＤＣＩ  ０およびＤＣＩ  １Ａは、同一サイズであり種別情報によって区別できるので、以下の説明では、ＤＣＩ  ０およびＤＣＩ  １ＡをＤＣＩ  ０／１Ａとまとめて表記する。【０００９】
また、上記ＤＣＩフォーマット以外にも、下り回線において、非連続帯域割当を行うＤＣＩ  ｆｏｒｍａｔ１（以下、ＤＣＩ  １という）および空間多重ＭＩＭＯ送信を割り当てるＤＣＩ  ｆｏｒｍａｔ２および２Ａ（以下、ＤＣＩ  ２，２Ａという）等がある。ここで、ＤＣＩ  １，２，２Ａは、端末の下り送信モード（非連続帯域割当または空間多重ＭＩＭＯ送信）に依存して使用されるフォーマットであり、端末毎に設定されるフォーマットである。一方、ＤＣＩ  ０／１Ａは、送信モードに依存せず、いずれの送信モードの端末に対しても使用できるフォーマット、つまり、全端末に対して共通に使用されるフォーマットである。また、ＤＣＩ  ０／１Ａが用いられた場合には、デフォルトの送信モードとして１アンテナ送信または送信ダイバーシチが用いられる。【００１０】
また、ＬＴＥに対する後方互換性を有しつつ、ＬＴＥよりも更なる通信の高速化を実現する３ＧＰＰ  ＬＴＥ−Ａｄｖａｎｃｅｄ（以下、ＬＴＥ−Ａという）の標準化が開始されている。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ−Ａ端末という）が導入される見込みである。また、ＬＴＥ−Ａシステムは、ＬＴＥ−Ａ端末のみでなく、ＬＴＥシステムに対応する端末（以下、ＬＴＥ端末という）を収容することが要求されている。【００１１】
さらに、ＬＴＥ−Ａでは、カバレッジの拡大を達成するために、無線通信中継装置（以下、「中継局」又は「ＲＮ：Ｒｅｌａｙ  Ｎｏｄｅ」という）の導入も規定された（図２参照）。これに伴い、基地局から中継局への下り回線制御チャネル（以下、「Ｒ−ＰＤＣＣＨ」という）に関する標準化が進んでいる（例えば、非特許文献４，５，６，７，８参照）。現在の段階では、Ｒ−ＰＤＣＣＨに関して、以下の事項が検討されている。図３には、Ｒ−ＰＤＣＣＨ領域の一例が示されている。
（１）Ｒ−ＰＤＣＣＨの時間軸方向のマッピング開始位置は、１サブフレームの先頭から４番目のＯＦＤＭシンボルに固定される。これは、ＰＤＣＣＨが時間軸方向に占める割合に依存しない。
（２）各Ｒ−ＰＤＣＣＨは、１つまたは連続する複数のＲ−ＣＣＥ（Relay-Control Channel Element）で構成されるリソースを占有する。１つのＲ−ＣＣＥを構成するＲＥの数は、スロット毎、又は、参照信号の配置毎に異なる。具体的には、Ｒ−ＣＣＥは、スロット０では、時間方向では第３ＯＦＤＭシンボルからスロット０の終わりまでの範囲を持ち、且つ、周波数方向では１ＲＢ幅の範囲を持つリソース領域（ただし、参照信号がマッピングされている領域を除く）として規定される。また、スロット１では、時間方向ではスロット１のはじめからスロット１の終わりまでの範囲を持ち、且つ、周波数方向では１ＲＢ幅の範囲を持つリソース領域（ただし、参照信号がマッピングされている領域を除く）として規定される。ただし、スロット１では、上記したリソース領域を２つに分けて、それぞれを１つのＲ−ＣＣＥにする提案も為されている。【００１２】
また、ＬＴＥでは、上り回線（Uplink）において複数の端末を多重する際に、複数の端末のそれぞれから送信された上り信号が基地局に到達するタイミングを一致させるために、ＴＡ（タイミングアドバンス：Ｔｉｍｉｎｇ  Ａｄｖａｎｃｅ）という処理が行われる。タイミングアドバンスでは、次の手順が実行される。すなわち、基地局は、端末から送信された上り信号のタイミングを測定する。そして、基地局は、その測定結果をもとに、端末から送信された信号の基地局に到達するタイミングが多重される端末同士で一致するように、各端末に対して送信タイミングを指示する。そして、各端末は、基地局から指示されたタイミングで上り信号を送信する。
【先行技術文献】
【非特許文献】
【００１３】
【非特許文献１】3GPP TS 36.211 V9.1.0, “Physical Channels and Modulation (Release 9),” May 2010
【非特許文献２】3GPP TS 36.212 V9.2.0, “Multiplexing and channel coding (Release 9),” June 2010
【非特許文献３】3GPP TS 36.213 V9.2.0, “Physical layer procedures (Release 9),” June 2010
【非特許文献４】3GPP TSG RAN WG1 meeting, R1-092641, “PDCCH design for Carrier aggregation and Post Rel-8 feature,” June 2009
【非特許文献５】3GPP TSG RAN WG1 meeting, R1-102700, “Backhaul Control Channel Design in Downlink,” May 2010
【非特許文献６】3GPP TSG RAN WG1 meeting, R1-102881, “R-PDCCH placement,”May 2010
【非特許文献７】3GPP TSG RAN WG1 meeting, R1-103040, “R-PDCCH search space design” May 2010
【非特許文献８】3GPP TSG RAN WG1 meeting, R1-103062, “Supporting frequency diversity and frequency selective R-PDCCH transmissions” May 2010
【発明の概要】
【発明が解決しようとする課題】
【００１４】
ところで、ＬＴＥ−Ａは、ＬＴＥに対する後方互換性を有する。そして、特にサービス開始当初にはＬＴＥ−Ａシステムによるカバーエリアが小さいと予想されるので、ＬＴＥ−ＡをサポートするＬＴＥ−Ａ端末は、同時にＬＴＥをサポート可能なＬＴＥ／ＬＴＥ−Ａマルチモード機となることが予想される。【００１５】
また、基地局がＰＤＣＣＨ領域を用いて端末にＰＤＳＣＨ領域を割り当てた際のデータの復号処理と、基地局がＲ−ＰＤＣＣＨ領域を用いて端末に（Ｒ−）ＰＤＳＣＨ領域を割り当てた際のデータの復号処理とでは、処理が同じであり、かつ、同時に動作することがないため、同じ復号回路が共用されると予想される。【００１６】
上述の通り、ＰＤＣＣＨは、スロット０の１番目から３番目のＯＦＤＭシンボルに割り当てられる。また、Ｒ−ＰＤＣＣＨは、スロット０においては、スロット０の４番目のＯＦＤＭシンボルからスロット０の終わりまで割り当てられる。また、Ｒ−ＰＤＣＣＨは、スロット１においては、スロット１のはじめからスロット１の終わりまで割り当てられる。このように、ＰＤＣＣＨ、スロット０のＲ−ＰＤＣＣＨ、及びスロット１のＲ−ＰＤＣＣＨは、時間的にずれて配置されている。【００１７】
従って、自端末宛のＤＣＩのブラインド復号処理を開始できるタイミングは、自端末宛のＤＣＩがＰＤＣＣＨ領域に割り当てられるか又はＲ−ＰＤＣＣＨ領域に割り当てられるかによって、異なる。具体的には、ＰＤＣＣＨ領域にＤＣＩが割り当てられる場合に比べて、スロット０のＲ−ＰＤＣＣＨ領域にＤＣＩが割り当てられる場合の方が４ＯＦＤＭシンボル分遅く、スロット１のＲ−ＰＤＣＣＨ領域にＤＣＩが割り当てられる場合の方が、さらに７ＯＦＤＭシンボル分（＝１スロット分）遅い。【００１８】
一方で、自端末宛のＤＣＩの示すリソースで送信されたデータの誤り検出結果に応じたＡＣＫ／ＮＡＣＫ送信の準備を完了させるべきタイミングは、自端末宛のＤＣＩがＰＤＣＣＨ領域に割り当てられるか又はＲ−ＰＤＣＣＨ領域に割り当てられるかによらず同じである。具体的には、端末は、自端末宛のＤＣＩが割り当てられたサブフレームの４サブフレーム後に、そのＤＣＩの示すリソースで送信されたデータの誤り検出結果に応じたＡＣＫ／ＮＡＣＫを送信する必要がある。【００１９】
従って、自端末宛のＤＣＩがＲ−ＰＤＣＣＨ領域に割り当てられる場合、ＰＤＣＣＨ領域に割り当てられる場合に比べて、Ｒ−ＰＤＣＣＨ処理および（Ｒ−）ＰＤＳＣＨ処理にかけられる時間が少なくなってしまう。【００２０】
その結果、端末では、以下のどちらかの対応が必要になる。
（１）図４に示すように、自端末宛ＤＣＩがマッピングされたマッピング領域がＰＤＣＣＨ領域であるときとＲ−ＰＤＣＣＨであるときとで（Ｒ−）ＰＤＳＣＨの復号処理開始タイミングを一致させる場合。この場合には、端末は、Ｒ−ＰＤＣＣＨ領域のブラインド復号処理を、ＰＤＣＣＨ領域のブラインド復号処理よりも急いで行う必要がある。この場合には、Ｒ−ＰＤＣＣＨ処理回路の規模が増大する問題がある。なお、図４において、上段には、自端末宛ＤＣＩがＰＤＣＣＨ領域に割り当てられた場合の処理タイミングが示され、下段には、Ｒ−ＰＤＣＣＨ領域に割り当てられた場合の処理タイミングが示されている。
（２）図５に示すように、自端末宛ＤＣＩがマッピングされたマッピング領域がＰＤＣＣＨ領域であるときとＲ−ＰＤＣＣＨであるときとで、ブラインド復号処理速度を一致させることにより、（Ｒ−）ＰＤＳＣＨの復号処理開始タイミングがずれる場合。この場合には、端末は、処理時間マージンがより少ない、自端末宛のＤＣＩがＲ−ＰＤＣＣＨに割り当てられた場合の（Ｒ−）ＰＤＳＣＨの処理時間マージンに合わせて、設計される必要がある。この場合には、ＬＴＥ／ＬＴＥ−Ａマルチモード端末では、ＬＴＥ動作時にオーバースペックな動作になるので、（Ｒ−）ＰＤＳＣＨの処理回路の規模が増大する問題がある。なお、図５において、上段には、自端末宛ＤＣＩがＰＤＣＣＨ領域に割り当てられた場合の処理タイミングが示され、下段には、Ｒ−ＰＤＣＣＨ領域に割り当てられた場合の処理タイミングが示されている。【００２１】
これらの問題点は、基地局と通信を行う端末のみならず中継局においても問題となるが、特に、回路規模及び消費電力に対して高い制約が求められる端末において顕著となる。【００２２】
また、基地局は、あるサブフレームにおいて、端末に対して下りデータを送信し、その４サブフレーム（４ｍｓ）後、下りデータに対する誤り検出結果（ＡＣＫ／ＮＡＣＫ）を受信する。ＰＤＣＣＨ処理およびＰＤＳＣＨ処理は、常に、想定される「基地局と端末との間の最大伝搬遅延量」に基づいて行われる。ここで、「基地局と端末との間の最大伝搬遅延量」とは、基地局と端末との間における往復の最大伝搬遅延量である。そして、半径１００ｋｍのセルを想定すると、「基地局と端末との間の最大伝搬遅延量」は、１００×１０３（ｍ）÷（３．０×１０８（ｍ／ｓ））×２（１往復分）≒０．６６ｍｓである。この場合、端末は、ＰＤＣＣＨ処理およびＰＤＳＣＨ処理については、４−０．６６≒３．３ｍｓで行う。しかし、Ｒ−ＰＤＣＣＨ処理および（Ｒ−）ＰＤＳＣＨ処理についても同様に、想定される最大伝搬遅延量に基づいて処理をしてしまうと、次のようになる。この場合、Ｒ−ＰＤＣＣＨの、ＰＤＣＣＨに対する復号処理開始タイミングの遅れと相まって、Ｒ−ＰＤＣＣＨ処理および（Ｒ−）ＰＤＳＣＨ処理にかけられる時間が少なくなってしまう。【００２３】
本発明の目的は、送信データに対するリソース割当情報の含まれる制御情報がマッピングされるリソース領域の時間位置に関わらず、受信側におけるデータ受信処理に余裕を持たせることができる送信装置及び送信方法を提供することである。
【課題を解決するための手段】
【００２４】
本発明の一態様の送信装置は、送信データに割り当てるリソース領域に関する情報及び前記送信データのサイズに関するデータサイズ情報を含む制御情報をマッピングするマッピング領域を設定する手段であって、通信単位時間内において時間方向で順番に設けられた、第１から第Ｎ（Ｎは、２以上の自然数）のリソース領域の内から、処理対象の制御情報に対する前記マッピング領域を、前記処理対象の制御情報が示すデータサイズに応じて設定する設定手段と、前記設定されたマッピング領域に、前記処理対象の制御情報をマッピングして送信するマッピング制御手段と、を具備する。【００２５】
本発明の一態様の送信方法は、送信データに割り当てるリソース領域に関する情報及び前記送信データのサイズに関するデータサイズ情報を含む制御情報をマッピングするマッピング領域を設定する手段であって、通信単位時間内において時間方向で順番に設けられた、第１から第Ｎ（Ｎは、２以上の自然数）のリソース領域の内から、処理対象の制御情報に対する前記マッピング領域を、前記処理対象の制御情報が示すデータサイズに応じて設定し、前記設定されたマッピング領域に、前記処理対象の制御情報をマッピングして送信する。【００２６】
本発明の一態様の送信装置は、送信データに割り当てるリソース領域に関する情報及び前記送信データのサイズに関するデータサイズ情報を含む制御情報をマッピングするマッピング領域を設定する手段であって、通信単位時間内において時間方向で順番に設けられた、第１から第Ｎ（Ｎは、２以上の自然数）のリソース領域の内から、処理対象の制御情報に対する前記マッピング領域を、前記処理対象の制御情報が示すデータサイズに応じて設定する設定手段と、前記設定されたマッピング領域に、前記処理対象の制御情報をマッピングして送信するマッピング制御手段と、を具備し、前記第１から第Ｎのリソース領域の内、第１のリソース領域についてのサイズ上限値は、タイミングアドバンスト値の最大値に応じて設定され、第２から第Ｎ（Ｎは、２以上の自然数）のリソース領域についてのサイズ上限値は、前記タイミングアドバンスト値に応じて設定され、前記タイミングアドバンスト値は、前記送信データ及び前記制御情報を受信する複数の受信装置から送信された信号の受信タイミングを一致させるために、自装置から前記複数の受信装置のそれぞれへ送信される。【００２７】
本発明の一態様の送信方法は、送信データに割り当てるリソース領域に関する情報及び前記送信データのサイズに関するデータサイズ情報を含む制御情報をマッピングするマッピング領域を設定するステップであって、通信単位時間内において時間方向で順番に設けられた、第１から第Ｎ（Ｎは、２以上の自然数）のリソース領域の内から、処理対象の制御情報に対する前記マッピング領域が、前記処理対象の制御情報が示すデータサイズに応じて設定されるステップと、前記設定されたマッピング領域に、前記処理対象の制御情報をマッピングして送信するステップと、を具備し、前記第１から第Ｎのリソース領域の内、第１のリソース領域についてのサイズ上限値は、タイミングアドバンスト値の最大値に応じて設定され、第２から第Ｎ（Ｎは、２以上の自然数）のリソース領域についてのサイズ上限値は、前記タイミングアドバンスト値に応じて設定され、前記タイミングアドバンスト値は、前記送信データ及び前記制御情報を受信する複数の受信装置から送信された信号の受信タイミングを一致させるために、自装置から前記複数の受信装置のそれぞれへ送信される。
【発明の効果】
【００２８】
本発明によれば、送信データに対するリソース割当情報の含まれる制御情報がマッピングされるリソース領域の時間位置に関わらず、受信側におけるデータ受信処理に余裕を持たせることができる送信装置及び送信方法を提供することができる。
【図面の簡単な説明】
【００２９】
【図１】ＰＤＣＣＨ領域の一例を示す図
【図２】無線通信中継装置を含む通信システムの説明に供する図
【図３】Ｒ−ＰＤＣＣＨ領域の一例を示す図
【図４】端末の動作例の説明に供する図
【図５】端末の動作例の説明に供する図
【図６】本発明の実施の形態１に係る基地局の主要構成図
【図７】本発明の実施の形態１に係る基地局の構成を示すブロック図
【図８】本発明の実施の形態１に係る端末の構成を示すブロック図
【図９】ＰＤＣＣＨ領域、スロット０のＲ−ＰＤＣＣＨ領域、又はスロット１のＲ−ＰＤＣＣＨ領域に対するサイズ上限値の説明に供する図
【図１０】設定ルールテーブルの説明に供する図
【図１１】端末に対して、ＰＤＣＣＨ領域によってＤＬ  ａｓｓｉｇｎｍｅｎｔが通知された場合のパイプライン処理を表す図
【図１２】スロット０のＲ−ＰＤＣＣＨ領域によってＤＬ  ａｓｓｉｇｎｍｅｎｔが通知された場合のパイプライン処理を表す図
【図１３】端末に対して、ＰＤＣＣＨ領域によってＤＬ  ａｓｓｉｇｎｍｅｎｔが通知された場合の４並列の処理を表す図
【図１４】スロット０のＲ−ＰＤＣＣＨ領域によってＤＬ  ａｓｓｉｇｎｍｅｎｔが通知された場合の４並列の処理を表す図
【図１５】ＰＤＣＣＨ領域、スロット０のＲ−ＰＤＣＣＨ領域、又はスロット１のＲ−ＰＤＣＣＨ領域に対するサイズ上限値の説明に供する図
【図１６】実施の形態７における、ＰＤＣＣＨ領域、スロット０のＲ−ＰＤＣＣＨ領域、又はスロット１のＲ−ＰＤＣＣＨ領域に対するサイズ上限値の説明に供する図
【図１７】端末に対して、スロット０のＲ−ＰＤＣＣＨ領域によってＤＬ  ａｓｓｉｇｎｍｅｎｔが通知された場合のパイプライン処理を表す図
【図１８】端末に対して、スロット０のＲ−ＰＤＣＣＨ領域によってＤＬ  ａｓｓｉｇｎｍｅｎｔが通知された場合の４並列の処理を表す図
【図１９】本発明の他の実施の形態における、ＤＬ  ａｓｓｉｇｎｍｅｎｔが示す下りデータサイズのサイズ上限値の説明に供する図
【図２０】本発明の他の実施の形態における、ブラインド復号回数の配置例の説明に供する図
【発明を実施するための形態】
【００３０】
以下、本発明の実施の形態について図面を参照して詳細に説明する。なお、実施の形態において、同一の構成要素には同一の符号を付し、その説明は重複するので省略する。
【００３１】
［実施の形態１］
［通信システムの概要］
本発明の実施の形態１に係る通信システムは、基地局１００と端末２００とを有する。基地局１００は、ＬＴＥ−Ａ基地局であり、端末２００は、ＬＴＥ−Ａ端末である。
【００３２】
図６は、本発明の実施の形態１に係る基地局１００の主要構成図である。基地局１００において、設定部１０１は、送信データに割り当てるリソース領域に関する情報及び送信データのサイズに関するデータサイズ情報を含む制御情報をマッピングするマッピング領域を、通信単位時間（例えば、サブフレーム）内において時間方向で順番に設けられた第１から第Ｎ（Ｎは、２以上の自然数）のリソース領域の内から、その制御情報が示すデータサイズに応じて設定する。制御部１０２は、その制御情報を、設定部１０１によって設定されたマッピング領域にマッピングする制御を行う。
【００３３】
以下では、特に、Ｎ＝３の場合、つまり、マッピング領域の候補として、ＰＤＣＣＨ領域、スロット０のＲ−ＰＤＣＣＨ領域、及びスロット１のＲ−ＰＤＣＣＨ領域が存在する場合を例にとって説明する。
【００３４】
［基地局１００の構成］
図７は、本発明の実施の形態１に係る基地局１００の構成を示すブロック図である。図７において、基地局１００は、設定部１０１と、制御部１０２と、サーチスペース設定部１０３と、ＰＤＣＣＨ生成部１０４と、符号化・変調部１０５，１０６，１０７と、割当部１０８と、多重部１０９と、ＩＦＦＴ（Inverse Fast Fourier Transform）部１１０と、ＣＰ（Cyclic Prefix）付加部１１１と、無線送信部１１２と、アンテナ１１３と、無線受信部１１４と、ＣＰ除去部１１５と、ＦＦＴ（Fast Fourier Transform）部１１６と、抽出部１１７と、ＩＤＦＴ（Inverse Discrete Fourier transform）部１１８と、データ受信部１１９と、ＡＣＫ／ＮＡＣＫ受信部１２０とを有する。
【００３５】
設定部１０１は、端末２００向けのＤＣＩの送信に利用するリソース領域を設定すると共に、端末２００の上り回線および下り回線それぞれの送信モードを設定する。端末２００向けのＤＣＩの送信に利用するリソース領域は、そのＤＣＩが示す下りデータサイズに応じて設定される。ここでは、下りデータサイズは、トランスポートブロックサイズとして定義される。リソース領域の設定及び送信モードの設定は、設定対象の端末２００毎に行われる。リソース領域及び送信モードに関する設定情報は、制御部１０２、サーチスペース設定部１０３および符号化・変調部１０６へ送出される。リソース領域に関する設定情報は、制御部１０２へ送出される。
【００３６】
具体的には、設定部１０１は、送信領域設定部１３１と、送信モード設定部１３２とを有する。
【００３７】
送信領域設定部１３１は、端末２００向けのＤＣＩの送信に利用するリソース領域を、ＤＣＩが示す下りデータサイズと設定ルールテーブルとに基づいて設定する。設定されるリソース領域の候補には、ＰＤＣＣＨ領域と、スロット０のＲ−ＰＤＣＣＨ領域と、スロット１のＲ−ＰＤＣＣＨ領域とが含まれる。
【００３８】
設定ルールテーブルでは、第１から第３のリソース領域（つまり、ここでは、ＰＤＣＣＨ領域と、スロット０のＲ−ＰＤＣＣＨ領域と、スロット１のＲ−ＰＤＣＣＨ領域）と、各リソース領域に設定可能なＤＣＩが示す下りデータサイズのサイズ上限値とが対応付けられている。そして、ＰＤＣＣＨ領域、スロット０のＲ−ＰＤＣＣＨ領域、スロット１のＲ−ＰＤＣＣＨ領域の順番で、サイズ上限値は小さくなる。この設定ルールテーブルは、設定部１０１の有するメモリに記憶されている。
【００３９】
そして、例えば、通常時には、端末２００向けにＰＤＣＣＨ領域が設定され、基地局１００の配下で通信している端末２００の数が多いためＰＤＣＣＨ領域が逼迫する懸念が生じた場合、又はＰＤＣＣＨ領域での干渉が大きいと判断された場合等には、端末２００向けにスロット０のＲ−ＰＤＣＣＨ領域又はスロット１のＲ−ＰＤＣＣＨ領域が設定される。ＤＣＩの送信に利用するリソース領域が、ＰＤＣＣＨ領域であるか、スロット０のＲ−ＰＤＣＣＨ領域であるか、あるいは、スロット１のＲ−ＰＤＣＣＨ領域であるかを示す情報を、制御部１０２に送出する。
【００４０】
送信モード設定部１３２は、端末２００の上り回線および下り回線それぞれの送信モード（例えば、空間多重ＭＩＭＯ送信、ビームフォーミング送信、非連続帯域割当等）を設定する。
【００４１】
なお、リソース領域及び送信モードに関する設定情報は、上位レイヤの制御情報（ＲＲＣ制御情報またはRRC signalingという）として、符号化・変調部１０６を介して各端末２００へ通知される。
【００４２】
制御部１０２は、設定部１０１から入力されたリソース領域に関する設定情報に基づいて、ＭＣＳ情報、リソース（ＲＢ）割当情報、および、ＮＤＩ（New data indicator）等を含む割当制御情報を生成する。ここで、リソース割当情報として、端末２００の上り回線データを割り当てる上りリソース（例えば、ＰＵＳＣＨ（Physical Uplink Shared Channel））を示す上りリソース割当情報、又は、端末２００宛ての下り回線データを割り当てる下りリソース（例えば、ＰＤＳＣＨ（Physical Downlink Shared Channel））を示す下りリソース割当情報を生成する。
【００４３】
さらに、制御部１０２は、設定部１０１から受け取る設定情報に基づいて、端末２００の上り回線の送信モードに応じた割当制御情報（ＤＣＩ  ０Ａ，０Ｂのいずれか）、下り回線の送信モードに応じた割当制御情報（ＤＣＩ  １，１Ｂ，１Ｄ，２，２Ａのいずれか）、または、全端末共通の割当制御情報（ＤＣＩ  ０／１Ａ）を、端末２００毎に生成する。
【００４４】
例えば、通常のデータ送信時には、制御部１０２は、スループット向上のために、各端末２００に設定した送信モードでデータ伝送が行えるように、各端末２００の送信モードに応じた割当制御情報（ＤＣＩ  １，１Ｂ，１Ｄ，２，２Ａ，０Ａ，０Ｂのいずれか）を生成する。これにより、各端末２００に設定した送信モードでデータ伝送が行えるので、スループットを向上することができる。
【００４５】
しかし、急激な伝搬路状況の変化または隣接セルからの干渉の変化等によっては、各端末２００に設定した送信モードではデータの受信誤りが頻発する状況も起こり得る。この場合には、制御部１０２は、全端末に共通のフォーマット（ＤＣＩ  ０／１Ａ）で、割当制御情報を生成し、ロバスト（Robust）なデフォルト送信モードを用いてデータを送信する。これにより、急激に伝搬環境が変動した場合であってもよりロバストなデータ伝送が可能となる。
【００４６】
また、伝搬路状況が悪化した場合に送信モードの変更を通知するための上位レイヤの制御情報（RRC signaling）の送信時にも、制御部１０２は、全端末共通の割当制御情報（ＤＣＩ  ０／１Ａ）を生成し、デフォルト送信モードを用いて情報を送信する。ここで、全端末共通のＤＣＩ  ０／１Ａの情報ビット数は、送信モードに依存するＤＣＩ  １，２，２Ａ，０Ａ，０Ｂの情報ビット数よりも少ない。このため、同じＣＣＥ数が設定された場合、ＤＣＩ  ０／１Ａの方が、ＤＣＩ  １，２，２Ａ，０Ａ，０Ｂよりも、低い符号化率で送信することができる。よって、伝搬路状況が悪化した場合に制御部１０２がＤＣＩ  ０／１Ａを用いることにより、伝搬路状況が劣悪な端末でも良好な誤り率で割当制御情報（および、データ）を受信することができる。
【００４７】
また、制御部１０２は、端末個別のデータ割当向けの割当制御情報の他に、報知情報およびＰａｇｉｎｇ情報等の複数の端末共通のデータ割当のための、共通チャネル向け割当制御情報（例えば、ＤＣＩ  １Ｃ，１Ａ）を生成する。
【００４８】
そして、制御部１０２は、生成した端末個別のデータ割当向けの割当制御情報のうち、ＭＣＳ情報およびＮＤＩをＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。下りリソース割当情報が多重部１０９へ渡されることにより、ＤＣＩのマッピング領域へのマッピングが制御される。また、制御部１０２は、生成した共通チャネル向け割当制御情報をＰＤＣＣＨ生成部１０４に出力する。
【００４９】
サーチスペース設定部１０３は、設定部１０１から受け取る設定情報の示す設定リソース領域に対応するサーチスペース設定ルールに基づいて、サーチスペースを設定する。各サーチスペース設定ルールは、サーチスペース設定部１０３の備えるメモリに、テーブルとして保持されている。サーチスペースには、上述の通り、共通サーチスペース（Ｃ−ＳＳ）および個別サーチスペース（ＵＥ−ＳＳ）が含まれる。共通サーチスペース（Ｃ−ＳＳ）は、上述のとおり、全端末に共通のサーチスペースであり、個別サーチスペース（ＵＥ−ＳＳ）は、各端末に個別のサーチスペースである。
【００５０】
ＰＤＣＣＨ生成部１０４は、制御部１０２から受け取る、端末個別のデータ割当向けの割当制御情報（つまり、端末毎の上りリソース割当情報、下りリソース割当情報、ＭＣＳ情報およびＮＤＩ等）を含むＤＣＩ、または、共通チャネル向け割当制御情報（つまり、端末共通の報知情報およびＰａｇｉｎｇ情報等）を含むＤＣＩを生成する。このとき、ＰＤＣＣＨ生成部１０４は、端末毎に生成する上り割当制御情報および下り割当制御情報に対してＣＲＣビットを付加し、さらにＣＲＣビットを端末ＩＤでマスキング（または、スクランブリング）する。そして、ＰＤＣＣＨ生成部１０４は、マスキング後の信号を、符号化・変調部１０５に出力する。
【００５１】
符号化・変調部１０５は、ＰＤＣＣＨ生成部１０４から受け取るＤＣＩをチャネル符号化後に変調して、変調後の信号を割当部１０８に出力する。ここで、符号化・変調部１０５は、各端末から報告されるチャネル品質情報（ＣＱＩ：Channel Quality Indicator）情報に基づいて、各端末で十分な受信品質が得られるように符号化率を設定する。例えば、符号化・変調部１０５は、セル境界付近に位置する端末ほど（つまり、チャネル品質が悪い端末ほど）、より低い符号化率を設定する。
【００５２】
割当部１０８は、符号化・変調部１０５から受け取る、共通チャネル向け割当制御情報を含むＤＣＩ、および、各端末に対する端末個別のデータ割当向けの割当制御情報を含むＤＣＩを、サーチスペース設定部１０３から受け取るサーチスペース情報が示す、Ｃ−ＳＳ内のＣＣＥ若しくはＲ−ＣＣＥ、又は、端末毎のＵＥ−ＳＳ内のＣＣＥ若しくはＲ−ＣＣＥに、それぞれ割り当てる。
【００５３】
例えば、割当部１０８は、Ｃ−ＳＳ内のＤＣＩ割当領域候補群の中から１つのＤＣＩ割当領域候補を選択する。そして、割当部１０８は、共通チャネル向け割当制御情報を含むＤＣＩを、選択したＤＣＩ割当領域候補内のＣＣＥ（または、Ｒ−ＣＣＥ。以下、ＣＣＥとＲ−ＣＣＥを区別せず、単にＣＣＥと呼ぶことがある）に割り当てる。
【００５４】
また、割当部１０８は、その端末向けのＤＣＩフォーマット（例えば、ＤＣＩ  １，１Ｂ，１Ｄ，２，２Ａ，０Ａ，０Ｂ）の場合には、その端末に設定されたＵＥ−ＳＳ内のＣＣＥをＤＣＩに対して割り当てる。一方、その端末向けのＤＣＩフォーマットが、全端末共通のフォーマット（例えば、ＤＣＩ  ０／１Ａ）の場合には、Ｃ−ＳＳ内のＣＣＥまたはその端末に設定されたＵＥ−ＳＳ内のＣＣＥをＤＣＩに対して割り当てる。
【００５５】
ここで、１つのＤＣＩに割り当てられるＣＣＥの連結数は、符号化率およびＤＣＩのビット数（つまり、割当制御情報の情報量）によって異なる。例えば、セル境界付近に位置する端末宛てのＤＣＩの符号化率は低く設定されるので、より多くの物理リソースが必要である。従って、割当部１０８は、セル境界付近に位置する端末宛てのＤＣＩに対して、より多くのＣＣＥを割り当てる。
【００５６】
そして、割当部１０８は、ＤＣＩに割り当てたＣＣＥに関する情報を多重部１０９およびＡＣＫ／ＮＡＣＫ受信部１２０に出力する。また、割当部１０８は、符号化・変調後のＤＣＩを多重部１０９に出力する。
【００５７】
符号化・変調部１０６は、設定部１０１から受け取る設定情報をチャネル符号化後に変調して、変調後の設定情報を多重部１０９に出力する。
【００５８】
符号化・変調部１０７は、入力される送信データ（下り回線データ）をチャネル符号化後に変調して、変調後の送信データ信号を多重部１０９に出力する。
【００５９】
多重部１０９は、割当部１０８から受け取る符号化・変調後のＤＣＩ信号、符号化・変調部１０６から受け取る設定情報、および符号化・変調部１０７から入力されるデータ信号（つまり、ＰＤＳＣＨ信号）を時間軸上および周波数軸上で多重する。ここで、多重部１０９は、制御部１０２から受け取る下りリソース割当情報に基づいて、ＰＤＣＣＨ信号およびデータ信号（ＰＤＳＣＨ信号）をマッピングする。なお、多重部１０９は、設定情報をＰＤＳＣＨにマッピングしてもよい。そして、多重部１０９は、多重信号をＩＦＦＴ部１１０に出力する。
【００６０】
ＩＦＦＴ部１１０は、多重部１０９からのアンテナ毎の多重信号を時間波形に変換し、ＣＰ付加部１１１は、この時間波形にＣＰを付加することによりＯＦＤＭ信号を得る。
【００６１】
無線送信部１１２は、ＣＰ付加部１１１から入力されるＯＦＤＭ信号に対して送信無線処理（アップコンバート、ディジタルアナログ（Ｄ／Ａ）変換など）を施し、アンテナ１１３を介して送信する。
【００６２】
一方、無線受信部１１４は、アンテナ１１３を介して受信帯域で受信した受信無線信号に対して受信無線処理（ダウンコンバート、アナログディジタル（Ａ／Ｄ）変換など）を施し、得られた受信信号をＣＰ除去部１１５に出力する。
【００６３】
ＣＰ除去部１１５は、受信信号からＣＰを除去し、ＦＦＴ（Fast Fourier Transform）部１１６は、ＣＰ除去後の受信信号を周波数領域信号に変換する。
【００６４】
抽出部１１７は、制御部１０２から受け取る上りリソース割当情報に基づいて、ＦＦＴ部１１６から受け取る周波数領域信号から上り回線データを抽出し、ＩＤＦＴ部１１８は、抽出信号を時間領域信号に変換し、その時間領域信号をデータ受信部１１９およびＡＣＫ／ＮＡＣＫ受信部１２０に出力する。
【００６５】
データ受信部１１９は、ＩＤＦＴ部１１８から入力される時間領域信号を復号する。そして、データ受信部１１９は、復号後の上り回線データを受信データとして出力する。
【００６６】
ＡＣＫ／ＮＡＣＫ受信部１２０は、ＩＤＦＴ部１１８から受け取る時間領域信号のうち、下り回線データ（ＰＤＳＣＨ信号）に対する各端末からのＡＣＫ／ＮＡＣＫ信号を抽出する。具体的には、ＡＣＫ／ＮＡＣＫ受信部１２０は、そのＡＣＫ／ＮＡＣＫ信号を、割当部１０８から受け取る情報に基づいて、上り回線制御チャネル（例えば、ＰＵＣＣＨ（Physical Uplink Control Channel））から抽出する。また、その上り回線制御チャネルは、その下り回線データに対応する下り割当制御情報の送信に用いられたＣＣＥに対応付けられた上り回線制御チャネルである。
【００６７】
そして、ＡＣＫ／ＮＡＣＫ受信部１２０は、抽出したＡＣＫ／ＮＡＣＫ信号のＡＣＫ／ＮＡＣＫ判定を行う。
【００６８】
なお、ここでは、ＣＣＥとＰＵＣＣＨとが対応付けられているのは、端末がＡＣＫ／ＮＡＣＫ信号の送信に用いるＰＵＣＣＨを基地局から各端末へ通知するためのシグナリングを不要にするためである。これにより、下り回線の通信リソースを効率良く使用することができる。従って、各端末は、この対応付けに従って、自端末への下り割当制御情報（ＤＣＩ）がマッピングされているＣＣＥに基づいて、ＡＣＫ／ＮＡＣＫ信号の送信に用いるＰＵＣＣＨを判定している。
【００６９】
［端末２００の構成］
図８は、本発明の実施の形態１に係る端末２００の構成を示すブロック図である。ここでは、端末２００は、ＬＴＥ−Ａ端末である。
【００７０】
図８において、端末２００は、アンテナ２０１と、無線受信部２０２と、ＣＰ除去部２０３と、ＦＦＴ部２０４と、分離部２０５と、設定情報受信部２０６と、ＰＤＣＣＨ受信部２０７と、ＰＤＳＣＨ受信部２０８と、変調部２０９，２１０と、ＤＦＴ部２１１と、マッピング部２１２と、ＩＦＦＴ部２１３と、ＣＰ付加部２１４と、無線送信部２１５とを有する。
【００７１】
無線受信部２０２は、設定情報受信部２０６から受け取る帯域情報に基づいて、受信帯域を設定する。無線受信部２０２は、アンテナ２０１を介して受信帯域で受信した無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。なお、受信信号には、ＰＤＳＣＨ信号、ＤＣＩ、および、設定情報を含む上位レイヤの制御情報が含まれている可能性がある。また、ＤＣＩ（割当制御情報）は、端末２００および他の端末に対して設定された共通のサーチスペース（Ｃ−ＳＳ）、または、端末２００に対して設定された個別のサーチスペース（ＵＥ−ＳＳ）に割り当てられている。
【００７２】
ＣＰ除去部２０３は、受信信号からＣＰを除去し、ＦＦＴ部２０４は、ＣＰ除去後の受信信号を周波数領域信号に変換する。この周波数領域信号は、分離部２０５に出力される。
【００７３】
分離部２０５は、ＦＦＴ部２０４から受け取る信号のうち、ＤＣＩを含む可能性のある成分（すなわち、ＰＤＣＣＨ領域およびＲ−ＰＤＣＣＨ領域から抜き出された信号）を、ＰＤＣＣＨ受信部２０７に出力する。また、分離部２０５は設定情報を含む上位レイヤの制御信号（例えば、RRC signaling等）を設定情報受信部２０６に出力し、データ信号（つまり、ＰＤＳＣＨ信号）をＰＤＳＣＨ受信部２０８に出力する。なお、設定情報を含む上位レイヤの制御信号がＰＤＳＣＨを通して送信される場合には、分離部２０５は、ＰＤＳＣＨ受信部２０８で受信した後の信号から、設定情報を抽出する。
【００７４】
設定情報受信部２０６は、分離部２０５から受け取る上位レイヤの制御信号から、次の情報を読み取る。すなわち、この読み取られる情報は、自端末に設定された端末ＩＤを示す情報、自端末に設定された、ＤＣＩの送信に利用するリソース領域を示す情報、自端末に設定された参照信号を示す情報、及び自端末に設定された送信モードを示す情報である。
【００７５】
そして、自端末に設定された端末ＩＤを示す情報は、端末ＩＤ情報としてＰＤＣＣＨ受信部２０７に出力される。また、ＤＣＩの送信に利用するリソース領域を示す情報は、サーチスペース領域情報としてＰＤＣＣＨ受信部２０７に出力される。また、自端末に設定された参照信号を示す情報は、参照信号情報としてＰＤＣＣＨ受信部２０７に出力される。また、自端末に設定された送信モードを示す情報は、送信モード情報としてＰＤＣＣＨ受信部２０７に出力される。
【００７６】
ＰＤＣＣＨ受信部２０７は、分離部２０５から入力される信号をブラインド復号（モニタ）して、自端末宛てのＤＣＩを得る。このブラインド復号処理は、サーチスペース設定ルールに規定されている復号対象単位領域候補に対して行われる。各サーチスペース設定ルールは、ＰＤＣＣＨ受信部２０７の備えるメモリに、テーブルとして保持されている。ここで、ＰＤＣＣＨ受信部２０７は、全端末共通のデータ割当向けのＤＣＩフォーマット（例えば、ＤＣＩ  ０／１Ａ）、自端末に設定された送信モード依存のＤＣＩフォーマット（例えば、ＤＣＩ  １，２，２Ａ，０Ａ，０Ｂ）および全端末共通の共通チャネル割当向けのＤＣＩフォーマット（例えば、ＤＣＩ  １Ｃ，１Ａ）のそれぞれに対して、ブラインド復号する。これにより、各ＤＣＩフォーマットの割当制御情報を含むＤＣＩが得られる。
【００７７】
ここで、ＰＤＣＣＨ受信部２０７は、設定情報受信部２０６から受け取るサーチスペース領域情報の示す領域がＰＤＣＣＨ領域である場合には、サーチスペース設定ルールに基づいて、Ｃ−ＳＳに対して、共通チャネル割当向けのＤＣＩフォーマット（ＤＣＩ  １Ｃ，１Ａ）および全端末共通のデータ割当向けＤＣＩフォーマット（ＤＣＩ  ０／１Ａ）のブラインド復号を行う。すなわち、ＰＤＣＣＨ受信部２０７は、Ｃ−ＳＳ内の各復号対象単位領域候補（つまり、端末２００に割り当てられるＣＣＥ領域の候補）について、共通チャネル割当向けのＤＣＩフォーマットのサイズ、および、全端末共通のデータ割当向けのＤＣＩフォーマットのサイズを対象として、復調および復号する。復号後の信号に対して、複数の端末の間で共通のＩＤによってＣＲＣビットをデマスキングする。そして、ＰＤＣＣＨ受信部２０７は、デマスキングの結果、ＣＲＣ＝ＯＫ（誤り無し）となった信号を、共通チャネル向けの割当制御情報が含まれるＤＣＩであると判定する。また、ＰＤＣＣＨ受信部２０７は、復号後の信号に対して、端末ＩＤ情報が示す自端末の端末ＩＤによってＣＲＣビットをデマスキングする。そして、ＰＤＣＣＨ受信部２０７は、デマスキングの結果、ＣＲＣ＝ＯＫ（誤り無し）となった信号を、自端末向けの割当制御情報が含まれるＤＣＩであると判定する。すなわち、ＰＤＣＣＨ受信部２０７は、Ｃ−ＳＳでは、ＤＣＩ  ０／１Ａの割当制御情報が共通チャネル向けであるか又は自端末向けのデータ割当向けであるかを、端末ＩＤ（複数の端末の間で共通のＩＤ、または、端末２００の端末ＩＤ）によって区別する。
【００７８】
ＰＤＣＣＨ受信部２０７は、設定情報受信部２０６から受け取る端末ＩＤ情報の示す自端末の端末ＩＤを用いて、自端末のＵＥ−ＳＳを、各ＣＣＥ連結数に対してそれぞれ算出する。そして、ＰＤＣＣＨ受信部２０７は、算出したＵＥ−ＳＳ内の各ブラインド復号領域候補について、自端末に設定された送信モード（送信モード情報に示される送信モード）に対応したＤＣＩフォーマットのサイズおよび全端末共通のＤＣＩフォーマット（ＤＣＩ  ０／１Ａ）のサイズを対象として、復調および復号する。そして、ＰＤＣＣＨ受信部２０７は、復号後の信号に対して、自端末の端末ＩＤでＣＲＣビットをデマスキングする。そして、ＰＤＣＣＨ受信部２０７は、デマスキングの結果、ＣＲＣ＝ＯＫ（誤り無し）となった信号を、自端末宛てのＤＣＩであると判定する。
【００７９】
ＰＤＣＣＨ受信部２０７は、設定情報受信部２０６から受け取るサーチスペース領域情報の示す領域がスロット０のＲ−ＰＤＣＣＨ領域又はスロット１のＲ−ＰＤＣＣＨ領域の場合にも、サーチスペース設定ルールに基づいて、ブラインド復号を行う。なお、設定情報受信部２０６から入力されるサーチスペース領域情報（サーチスペースの配分）がない場合（基地局１００がサーチスペース領域情報を送信しない場合）には、端末２００は、サーチスペースの配分を意識せずにブラインド復号を行っても良い。
【００８０】
そして、ＰＤＣＣＨ受信部２０７は、下り割当制御情報を受信した場合には自端末宛てのＤＣＩに含まれる下りリソース割当情報をＰＤＳＣＨ受信部２０８に出力し、上り割当制御情報を受信した場合には上りリソース割当情報をマッピング部２１２に出力する。また、ＰＤＣＣＨ受信部２０７は、自端末宛てのＤＣＩの送信に用いられたＣＣＥ（ＣＲＣ＝ＯＫとなった信号の送信に用いられていたＣＣＥ）のＣＣＥ番号（ＣＣＥ連結数が複数の場合は先頭のＣＣＥのＣＣＥ番号）をマッピング部２１２に出力する。なお、ＰＤＣＣＨ受信部におけるブラインド復号（モニタ）処理の詳細については後述する。
【００８１】
ＰＤＳＣＨ受信部２０８は、ＰＤＣＣＨ受信部２０７から受け取る下りリソース割当情報に基づいて、分離部２０５から受け取るＰＤＳＣＨ信号を復号し、受信データ（下り回線データ）を得る。すなわち、ＰＤＳＣＨ受信部２０８は、復号回路を有している。また、ＰＤＳＣＨ受信部２０８は、その受信データ（下り回線データ）に対して誤り検出を行う。そして、ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。このＡＣＫ／ＮＡＣＫ信号は、変調部２０９に出力される。
【００８２】
変調部２０９は、ＰＤＳＣＨ受信部２０８から受け取るＡＣＫ／ＮＡＣＫ信号を変調し、変調後のＡＣＫ／ＮＡＣＫ信号をマッピング部２１２に出力する。
【００８３】
変調部２１０は、送信データ（上り回線データ）を変調し、変調後のデータ信号をＤＦＴ部２１１に出力する。
【００８４】
ＤＦＴ部２１１は、変調部２１０から受け取るデータ信号を周波数領域に変換し、得られる複数の周波数成分をマッピング部２１２に出力する。
【００８５】
マッピング部２１２は、ＰＤＣＣＨ受信部２０７から受け取る上りリソース割当情報に従って、ＤＦＴ部２１１から受け取る複数の周波数成分を、上り単位キャリアに配置されたＰＵＳＣＨにマッピングする。また、マッピング部２１２は、ＰＤＣＣＨ受信部２０７から受け取るＣＣＥ番号に従ってＰＵＣＣＨを特定する。そして、マッピング部２１２は、変調部２０９から入力されるＡＣＫ／ＮＡＣＫ信号を、上記特定したＰＵＣＣＨにマッピングする。
【００８６】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００８７】
無線送信部２１５は、送信帯域を変更可能に構成されている。無線送信部２１５は、設定情報受信部２０６から受け取る帯域情報に基づいて、送信帯域を設定する。そして、無線送信部２１５は、ＣＰが付加された信号に送信無線処理（アップコンバート、ディジタルアナログ（Ｄ／Ａ）変換など）を施して、アンテナ２０１を介して送信する。
【００８８】
［基地局１００及び端末２００の動作］
以上の構成を有する基地局１００及び端末２００の動作について説明する。
【００８９】
基地局１００において、設定部１０１は、サブフレーム内において時間方向で順番に設けられた、ＰＤＣＣＨ領域と、スロット０のＲ−ＰＤＣＣＨ領域と、スロット１のＲ−ＰＤＣＣＨ領域の内から、ＤＣＩが示す下りデータサイズに応じて、そのＤＣＩをマッピングするマッピング領域を設定する。
【００９０】
このマッピング領域の設定には、設定ルールテーブルが用いられる。この設定テーブルでは、ＰＤＣＣＨ領域、スロット０のＲ−ＰＤＣＣＨ領域、及びスロット１のＲ−ＰＤＣＣＨ領域と、各リソース領域に設定可能なＤＣＩが示す下りデータサイズのサイズ上限値とが対応付けられている。ここでは、下りデータサイズは、トランスポートブロックサイズとして定義される。そして、ＰＤＣＣＨ領域、スロット０のＲ−ＰＤＣＣＨ領域、スロット１のＲ−ＰＤＣＣＨ領域の順番で、サイズ上限値は小さくなる。
【００９１】
ここで、上述の通り、Ｒ−ＰＤＣＣＨ処理および（Ｒ−）ＰＤＳＣＨ処理にかけられる時間は、ＤＣＩのマッピング領域がＰＤＣＣＨ領域、スロット０のＲ−ＰＤＣＣＨ領域、又はスロット１のＲ−ＰＤＣＣＨ領域である場合、この順番で短くなる。従って、この順番で、サイズ上限値を減少させることにより、ＤＣＩ及び下りデータの受信側である端末２００は、ＬＴＥ端末におけるＰＤＣＣＨ処理およびＰＤＳＣＨ処理と同等の処理スピードで処理を行っても、所定のＡＣＫ／ＮＡＣＫ送信タイミングに間に合わせることができる。
【００９２】
端末２００において、復号回路を有するＰＤＳＣＨ受信部２０８は、ＰＤＣＣＨ受信部２０７から受け取る下りリソース割当情報に基づいて、分離部２０５から受け取るＰＤＳＣＨ信号を復号し、受信データ（下り回線データ）を得る。また、ＰＤＳＣＨ受信部２０８は、その受信データ（下り回線データ）に対して誤り検出を行う。そして、ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。
【００９３】
またここで、サイズ上限値として設定しうる最大値は、以下のように算出することができる。
（Ｒ−）ＰＤＣＣＨ復号処理、（Ｒ−）ＰＤＳＣＨ復号処理、ＡＣＫ／ＮＡＣＫ送信準備の処理にかけられる時間は、（１）自端末宛のＤＣＩがＰＤＣＣＨ領域に割り当てられる場合、（２）スロット０のＲ−ＰＤＣＣＨ領域に割り当てられる場合、（３）スロット１のＲ−ＰＤＣＣＨ領域に割り当てられる場合で、次の値となる。
（１）ＰＤＣＣＨ領域に割り当てられる場合：
１１（ＯＦＤＭシンボル）／１４（ＯＦＤＭシンボル）＋３≒３．８ｍｓ
（２）スロット０のＲ−ＰＤＣＣＨ領域に割り当てられる場合：
７（ＯＦＤＭシンボル）／１４（ＯＦＤＭシンボル）＋３＝３．５ｍｓ（つまり、ＰＤＣＣＨ領域に割り当てられる場合に比べて、４／１４ｍｓだけ短い）
（３）スロット１のＲ−ＰＤＣＣＨ領域に割り当てられる場合：
３．０ｍｓ（つまり、ＰＤＣＣＨ領域に割り当てられる場合に比べて、１１／１４ｍｓだけ短い）
【００９４】
一方で、処理のボトルネックになると考えられるターボ復号器の最大動作時間は、ＰＤＣＣＨ領域に割当可能な最大トランスポートブロックサイズ（＝７５３７６）において、１．０ｍｓである。これは、データが最大トランスポートブロックサイズで連続的に送信される場合に、１サブフレーム長（１．０ｍｓ）を超える処理時間がかかってしまうと、送信されるデータに対して復号処理が追いつかなくなるためである。ターボ復号器の最大動作時間が、１サブフレーム長（＝１．０ｍｓ）又はそれ以下になるように、ターボ復号器では、並列処理等を行って動作時間を短縮する。なお、ターボ復号器の最大動作時間が１．０ｍｓ以下となることとしたが、これはターボ復号器に限らず、（Ｒ−）ＰＤＳＣＨ復号処理において最も時間を要する処理の最大動作時間が１．０ｍｓ以下となることを意図している。以降では、最も時間を要する処理がターボ復号器であるとして説明する。
【００９５】
以上のことから、ＤＣＩがスロット０のＲ−ＰＤＣＣＨ領域に割り当てられた場合のトランスポートブロックサイズが取りうる値の最大値（つまり、サイズ上限値は、この値以下であれば良い）は、７５３７６×（１−４／１４）＝５３８４０となる。そして、ＤＣＩがスロット１のＲ−ＰＤＣＣＨ領域に割り当てられた場合のトランスポートブロックサイズが取りうる値の最大値（つまり、サイズ上限値は、この値以下であれば良い）は、７５３７６×（１−１１／１４）＝１６１５２となる。
【００９６】
実際には、ターボ復号器の動作時間が１．０ｍｓ以下となればよい。従って、ＤＣＩがＰＤＣＣＨに割り当てられる場合の最大トランスポートブロックサイズを７５３７６とすると、ＤＣＩがスロット０のＲ−ＰＤＣＣＨ領域に割り当てられる場合の最大トランスポートブロックサイズは５３８４０以下である。また、ＤＣＩがスロット１のＲ−ＰＤＣＣＨ領域に割り当てられる場合の最大トランスポートブロックサイズは１６１５２以下である。
【００９７】
すなわち、図９に示す、トランスポートサイズのインデックス（I_TBS）と割当リソースブロック数（N_PRB）とのペアに対してトランスポートブロックサイズが対応付けられたテーブルでは、トランスポートブロックサイズが３つのグループに分けられる。図９のテーブルにおいて、領域１には、スロット０のＲ−ＰＤＣＣＨ領域及びスロット１のＲ−ＰＤＣＣＨ領域にはマッピングされず且つＰＤＣＣＨ領域にのみマッピングされる、ＤＣＩの示すトランスポートブロックが規定されている。また、領域２には、スロット１のＲ−ＰＤＣＣＨ領域にはマッピングされず且つスロット０のＲ−ＰＤＣＣＨ領域又はＰＤＣＣＨ領域にのみマッピングされる、ＤＣＩの示すトランスポートブロックが規定されている。また、領域３には、スロット０のＲ−ＰＤＣＣＨ領域、スロット１のＲ−ＰＤＣＣＨ領域及びＰＤＣＣＨ領域にマッピングされる、ＤＣＩの示すトランスポートブロックが規定されている。
【００９８】
なお、上記ではトランスポートブロックサイズが３つのグループに分けられると説明した。しかし、ＤＣＩがスロット０のＲ−ＰＤＣＣＨ領域に割り当てられる場合の最大トランスポートブロックサイズを、スロット１のＲ−ＰＤＣＣＨ領域に割り当てられる場合の最大トランスポートブロックサイズに合わせることで、これらを１つのグループにまとめ、２つのグループに分けることもできる。すなわち、図９において、領域１及び領域２には、スロット０のＲ−ＰＤＣＣＨ領域及びスロット１のＲ−ＰＤＣＣＨ領域にはマッピングされず且つＰＤＣＣＨ領域にのみマッピングされる、ＤＣＩの示すトランスポートブロックが規定される。また、領域３には、スロット０のＲ−ＰＤＣＣＨ領域及びスロット１のＲ−ＰＤＣＣＨ領域及びＰＤＣＣＨ領域にマッピングされる、ＤＣＩの示すトランスポートブロックが規定される。
【００９９】
また、ＤＣＩ（ＤＬ  ａｓｓｉｇｎｍｅｎｔ）をスロット１のＲ−ＰＤＣＣＨ領域には割り当てないと規定された場合も、トランスポートブロックサイズを２つのグループに分けることができる。すなわち、図９において、領域１には、スロット０のＲ−ＰＤＣＣＨ領域にはマッピングされず且つＰＤＣＣＨ領域にのみマッピングされる、ＤＣＩの示すトランスポートブロックが規定される。また、領域２及び領域３には、スロット０のＲ−ＰＤＣＣＨ領域及びＰＤＣＣＨ領域にマッピングされる、ＤＣＩの示すトランスポートブロックが規定される。
【０１００】
以上のように本実施の形態によれば、基地局１００において、設定部１０１が、サブフレーム内において時間方向で順番に設けられた、ＰＤＣＣＨ領域と、スロット０のＲ−ＰＤＣＣＨ領域と、スロット１のＲ−ＰＤＣＣＨ領域の内から、ＤＣＩが示す下りデータサイズに応じて、そのＤＣＩをマッピングするマッピング領域を設定する。
【０１０１】
こうすることで、ＤＣＩがマッピングされるマッピング領域の時間位置に関わらず、受信側（端末２００）におけるデータ受信処理に余裕を持たせることができる。すなわち、受信側（端末２００）におけるＲ−ＰＤＣＣＨの処理時間マージンをより多く確保しつつ、ＬＴＥ動作時のデータ受信処理におけるオーバースペックな動作を回避できる。
【０１０２】
また、このマッピング領域の設定に用いられる設定ルールテーブルでは、ＰＤＣＣＨ領域、スロット０のＲ−ＰＤＣＣＨ領域、及びスロット１のＲ−ＰＤＣＣＨ領域と、各リソース領域に設定可能なＤＣＩが示す下りデータサイズのサイズ上限値とが対応付けられている。ここでは、下りデータサイズは、トランスポートブロックサイズとして定義される。そして、ＰＤＣＣＨ領域、スロット０のＲ−ＰＤＣＣＨ領域、スロット１のＲ−ＰＤＣＣＨ領域の順番で、サイズ上限値は小さくなる。
【０１０３】
なお、以上の説明では、ＤＣＩ（＝ＤＬ  ａｓｓｉｇｎｍｅｎｔ）が、ＰＤＣＣＨ領域、スロット０のＲ−ＰＤＣＣＨ領域、スロット１のＲ−ＰＤＣＣＨ領域に割り当てられる場合を説明している。しかしながら、これに限定されるものではない。例えば、ＤＬ  ａｓｓｉｇｎｍｅｎｔをスロット１のＲ−ＰＤＣＣＨ領域には割り当てないと規定されたとしてもよい。この場合、Ｒ−ＰＤＣＣＨ処理および（Ｒ−）ＰＤＳＣＨ処理（スロット０のみ）にかけられる時間の減少分に応じて、サイズ上限値をＰＤＣＣＨ領域、スロット０のＲ−ＰＤＣＣＨ領域の順番で減少させれば良い。すなわち、上記したマッピング領域の設定方法は、ＰＤＣＣＨ領域、スロット０のＲ−ＰＤＣＣＨ領域、スロット１のＲ−ＰＤＣＣＨ領域のうちの、２つ以上の領域に対して、ＤＬ  ａｓｓｉｇｎｍｅｎｔが割り当てることができる場合において有効である。
【０１０４】
要は、基地局１００において設定部１０１が、処理対象のＤＣＩが示す下りデータサイズに応じて、通信単位時間（例えば、サブフレーム）内において時間方向で順番に設けられた、第１から第Ｎ（Ｎは、２以上の自然数）のリソース領域の内から、処理対象のＤＣＩをマッピングするマッピング領域を設定すれば良い。
【０１０５】
また、以上の説明では、下りデータに割り当てるリソース領域に関する情報及び前記下りデータのサイズに関するデータサイズ情報を含む割当制御情報（ＤＣＩ）について説明したが、本発明はこれに限定されるものではなく、上りの制御情報に対しても適用することができる。要は、処理対象の制御情報が示すデータサイズに応じて、通信単位時間内において時間方向で順番に設けられた、第１から第Ｎ（Ｎは、２以上の自然数）のリソース領域の内から、処理対象の制御情報をマッピングするマッピング領域が設定されれば良い。この場合、マッピング領域の設定に用いられる設定ルールテーブルでは、図１０に示すように、第１から第Ｎのリソース領域と、各リソース領域に設定可能な割当制御情報が示す下りデータサイズのサイズ上限値とが対応付けられ、第１から第Ｎのリソース領域の内の第ｎ（ｎは、２以上Ｎ以下の自然数）のリソース領域についてのサイズ上限値が第ｎ−１のリソース領域についてのサイズ上限値よりも小さくなっていれば良い。
【０１０６】
またなお、上記説明では、サブフレーム長（１．０ｍｓ）に合わせるために、１サブフレームあたりのターボ復号器の動作時間が１．０ｍｓ以下に収まるように、各処理の処理時間が１ｍｓ以下となるパイプライン処理を想定している（図１１、図１２参照）。ここで、図１１は、端末に対して、ＰＤＣＣＨ領域によってＤＬ  ａｓｓｉｇｎｍｅｎｔが通知された場合のパイプライン処理を表す。
【０１０７】
図１２は、スロット０のＲ−ＰＤＣＣＨ領域によってＤＬ  ａｓｓｉｇｎｍｅｎｔが通知された場合のパイプライン処理を表す。スロット０のＲ−ＰＤＣＣＨ領域によってＤＬ  ａｓｓｉｇｎｍｅｎｔが通知された場合、ＰＤＣＣＨ領域によってＤＬ  ａｓｓｉｇｎｍｅｎｔが通知される場合に比べて、ブラインド復号処理開始時間が４／１４ｍｓ遅れるが、誤り検出結果の通知タイミングは遅れない。そのため、各処理の処理時間が１ｍｓ以下となるパイプライン処理をする場合、スロット０のＲ−ＰＤＣＣＨ領域によってＤＬ  ａｓｓｉｇｎｍｅｎｔが通知された場合の最大トランスポートブロックサイズは、次のようになる。すなわち、この場合の最大トランスポートブロックサイズは、ＰＤＣＣＨ領域によってＤＬ  ａｓｓｉｇｎｍｅｎｔが通知された場合の最大トランスポートブロックサイズの（１−４／１４）÷１≒０．７１倍になる。同様に、スロット１のＲ−ＰＤＣＣＨ領域によってＤＬ  ａｓｓｉｇｎｍｅｎｔが通知される場合は、（１−１１／１４）÷１≒０．２１倍になる。以降、簡単のために、Ｒ−ＰＤＣＣＨ領域によってＤＬ  ａｓｓｉｇｎｍｅｎｔが通知された場合の最大トランスポートブロックサイズに対する、ＰＤＣＣＨ領域でＤＬ  ａｓｓｉｇｎｍｅｎｔが通知された場合の最大トランスポートブロックサイズの比を、「最大トランスポートブロックサイズの制限率」と記載する場合がある。すなわち、「最大トランスポートブロックサイズの制限率」は、この場合、スロット０のＲ−ＰＤＣＣＨ領域でＤＬ  ａｓｓｉｇｎｍｅｎｔが通知される場合には０．７１倍、スロット１のＲ−ＰＤＣＣＨ領域でＤＬ  ａｓｓｉｇｎｍｅｎｔが通知される場合には０．２１倍となる。
【０１０８】
これに対して、より一般的には、４つの下りサブフレームにおけるＰＤＳＣＨに対して、４並列の処理を行うこともできる（図１３、図１４参照）。この４並列の処理では、図１３に示すように、ＰＤＣＣＨ領域によってＤＬ  ａｓｓｉｇｎｍｅｎｔが通知された場合、１１／１４＋３≒３．８ｍｓの間に、最大トランスポートブロックサイズをもつＰＤＳＣＨを処理すればよい。これに対して、図１４に示すように、スロット０のＲ−ＰＤＣＣＨ領域によってＤＬ  ａｓｓｉｇｎｍｅｎｔが通知された場合、７／１４＋３＝３．５ｍｓの間にＰＤＳＣＨを処理する必要がある。そのため、スロット０のＲ−ＰＤＣＣＨ領域によってＤＬ  ａｓｓｉｇｎｍｅｎｔが通知された場合の最大トランスポートブロックサイズは、ＰＤＣＣＨ領域によってＤＬ  ａｓｓｉｇｎｍｅｎｔが通知された場合の最大トランスポートブロックサイズの、３．５／３．８≒０．９２倍になる。同様に、スロット１のＲ−ＰＤＣＣＨ領域によってＤＬ  ａｓｓｉｇｎｍｅｎｔが通知された場合、３．０ｍｓの間にＰＤＳＣＨを処理する必要がある。そのため、スロット１のＲ−ＰＤＣＣＨ領域によってＤＬ  ａｓｓｉｇｎｍｅｎｔが通知された場合の最大トランスポートブロックサイズは、ＰＤＣＣＨ領域によってＤＬ  ａｓｓｉｇｎｍｅｎｔが通知された場合の最大トランスポートブロックサイズの、３．０／３．８≒０．７９倍になる。すなわち、「最大トランスポートブロックサイズの制限率」は、４並列の処理では、スロット０のＲ−ＰＤＣＣＨ領域によってＤＬ  ａｓｓｉｇｎｍｅｎｔが通知される場合には０．９２倍、スロット１のＲ−ＰＤＣＣＨ領域によってＤＬ  ａｓｓｉｇｎｍｅｎｔが通知される場合には０．７９倍となる。
【０１０９】
したがって、４つの下りサブフレームにおけるＰＤＳＣＨに対して４並列の処理を行った場合、ＰＤＣＣＨ領域によってＤＬ  ａｓｓｉｇｎｍｅｎｔが通知された場合の最大トランスポートブロックサイズを７５３７６ビットと仮定すると、スロット０のＲ−ＰＤＣＣＨ領域によってＤＬ  ａｓｓｉｇｎｍｅｎｔが通知された場合の最大トランスポートブロックサイズは、７５３７６×（３．５／３．８）≒６９４２５ビットである。また、スロット１のＲ−ＰＤＣＣＨ領域によってＤＬ  ａｓｓｉｇｎｍｅｎｔが通知された場合の最大トランスポートブロックサイズは、７５３７６×（３．０／３．８）≒５９５０７ビットである。
【０１１０】
また、上述の通り、基地局と端末との間の往復の伝搬遅延の最大値（ＴＡ（Timing Advance）値の最大値ｔＴＡ＿ＭＡＸ）は、例えば、半径１００ｋｍのセルの場合、１００×１０３（ｍ）÷（３．０×１０８（ｍ／ｓ））×２（１往復分）≒０．６６ｍｓである。これを考慮すると、（Ｒ−）ＰＤＣＣＨ復号処理、（Ｒ−）ＰＤＳＣＨ復号処理、及びＡＣＫ／ＮＡＣＫ送信準備の処理にかけられる時間は、（１）自端末宛のＤＣＩ（ＤＬ  ａｓｓｉｇｎｍｅｎｔ）がＰＤＣＣＨ領域に割り当てられる場合、（２）スロット０のＲ−ＰＤＣＣＨ領域に割り当てられる場合、（３）スロット１のＲ−ＰＤＣＣＨ領域に割り当てられる場合で、次の値となる。
（１）ＰＤＣＣＨ領域に割り当てられる場合：
１１（ＯＦＤＭシンボル）／１４（ＯＦＤＭシンボル）＋３−０．６６≒３．１ｍｓ
（２）スロット０のＲ−ＰＤＣＣＨ領域に割り当てられる場合：
７（ＯＦＤＭシンボル）／１４（ＯＦＤＭシンボル）＋３−０．６６≒２．８ｍｓ（つまり、ＰＤＣＣＨ領域に割り当てられる場合に比べて、４／１４ｍｓだけ短い）
（３）スロット１のＲ−ＰＤＣＣＨ領域に割り当てられる場合：
３．０−０．６６≒２．３ｍｓ（つまり、ＰＤＣＣＨ領域に割り当てられる場合に比べて、１１／１４ｍｓだけ短い）
【０１１１】
ＴＡ値の最大値を考慮して、図１３および図１４に示すように４つの下りサブフレームおけるＰＤＳＣＨに対して４並列の処理を行うと、スロット０のＲ−ＰＤＣＣＨ領域によってＤＬ  ａｓｓｉｇｎｍｅｎｔが通知された場合の最大トランスポートブロックサイズは、ＰＤＣＣＨ領域によってＤＬ  ａｓｓｉｇｎｍｅｎｔが通知された場合の最大トランスポートブロックサイズの、２．８／３．１≒０．９１倍になる。同様に、スロット１のＲ−ＰＤＣＣＨ領域によってＤＬ  ａｓｓｉｇｎｍｅｎｔが通知された場合の最大トランスポートブロックサイズは、ＰＤＣＣＨ領域によってＤＬ  ａｓｓｉｇｎｍｅｎｔが通知された場合の最大トランスポートブロックサイズの、２．３／３．１≒０．７４倍になる。すなわち、「最大トランスポートブロックサイズの制限率」は、ＴＡ値の最大値を考慮した４並列の処理では、スロット０のＲ−ＰＤＣＣＨ領域によってＤＬ  ａｓｓｉｇｎｍｅｎｔが通知される場合には０．９１倍、スロット１のＲ−ＰＤＣＣＨ領域によってＤＬ  ａｓｓｉｇｎｍｅｎｔが通知される場合には０．７４倍となる。
【０１１２】
したがって、ＴＡの最大値を考慮して、４つの下りサブフレームにおけるＰＤＳＣＨに対して４並列の処理を行った場合には、次のようになる。この場合、ＰＤＣＣＨ領域によってＤＬ  ａｓｓｉｇｎｍｅｎｔが通知された場合の最大トランスポートブロックサイズを７５３７６ビットと仮定すると、スロット０のＲ−ＰＤＣＣＨ領域によってＤＬ  ａｓｓｉｇｎｍｅｎｔが通知された場合の最大トランスポートブロックサイズは、７５３７６×（２．８／３．１）≒６８０８１ビットである。また、スロット１のＲ−ＰＤＣＣＨ領域によってＤＬ  ａｓｓｉｇｎｍｅｎｔが通知された場合の最大トランスポートブロックサイズは、７５３７６×（２．３／３．１）≒５５９２４ビットである。
【０１１３】
またなお、以上の説明では、トランスポートブロックサイズの制限は、ＤＣＩ（ＤＬ  ａｓｓｉｇｎｍｅｎｔ）が割り当てられるＲ−ＰＤＣＣＨ領域に基づいて、トランスポートサイズのインデックス（I_TBS）と割当リソースブロック数（N_PRB）との組合せに制約を与えること実現された。しかしながら、本発明はこの方法のみに限定されるものではない。
【０１１４】
すなわち、トランスポートブロックサイズのインデックス（I_TBS）のみに制約を与えることでも、トランスポートブロックサイズを制限することができる。また、割当リソースブロック数（N_PRB）のみに制約を与えることでも、トランスポートブロックサイズを制限することができる。また、図９の表とは異なる表、つまり、トランスポートサイズのインデックス（I_TBS）と割当リソースブロック数（N_PRB）との組合せに対する、ＤＣＩがスロット０のＲ−ＰＤＣＣＨ領域に割り当てられた場合の（Ｒ−）ＰＤＳＣＨのトランスポートブロックサイズを示す表を、別途規定してもよい。また、トランスポートサイズのインデックス（I_TBS）と割当リソースブロック数（N_PRB）との組合せに対する、ＤＣＩがスロット１のＲ−ＰＤＣＣＨ領域に割り当てられた場合の（Ｒ−）ＰＤＳＣＨのトランスポートブロックサイズを示す表を、別途規定してもよい。
【０１１５】
又は、レイヤ数の制約を与えることによって、トランスポートブロックサイズを制限することもできる。ＤＣＩは、そのフォーマット（ＤＣＩ  ｆｏｒｍａｔ）毎に、サポート可能なレイヤ数が規定されているためである。
【０１１６】
レイヤ数の制約として、下記（１）から（３）のうち、少なくとも１つを満足する。
（１）ＤＣＩ（ＤＬ  ａｓｓｉｇｎｍｅｎｔ）がスロット０のＲ−ＰＤＣＣＨ領域に割り当てられた場合にサポートするレイヤ数の最大値は、ＤＣＩがＰＤＣＣＨ領域に割り当てられた場合にサポートするレイヤ数の最大値よりも小さい。
（２）ＤＣＩ（ＤＬ  ａｓｓｉｇｎｍｅｎｔ）がスロット１のＲ−ＰＤＣＣＨ領域に割り当てられた場合にサポートするレイヤ数の最大値は、ＤＣＩがＰＤＣＣＨ領域に割り当てられた場合にサポートするレイヤ数の最大値よりも小さい。
（３）ＤＣＩ（ＤＬ  ａｓｓｉｇｎｍｅｎｔ）がスロット１のＲ−ＰＤＣＣＨ領域に割り当てられた場合にサポートするレイヤ数の最大値は、ＤＣＩがスロット０のＰＤＣＣＨ領域に割り当てられた場合にサポートするレイヤ数の最大値よりも小さい。
【０１１７】
例えば、ある割当リソースブロック数（N_PRB）とＭＣＳ（Ｉ＿ＭＣＳ）との組合せにおける、レイヤ数が１の場合のトランスポートブロックサイズが７５３７６ビットであり、レイヤ数が２の場合のトランスポートブロックサイズが１４９７７６ビットであるとする。このとき、ＤＣＩ（ＤＬ  ａｓｓｉｇｎｍｅｎｔ）がＰＤＣＣＨ領域に割り当てられた場合にサポートするレイヤ数の最大値が２であり、ＤＣＩがスロット１のＲ−ＰＤＣＣＨ領域に割り当てられた場合にサポートするレイヤ数の最大値が１であるとすると、次のようになる。この場合、ＰＤＣＣＨ領域のＤＣＩとＲ−ＰＤＣＣＨ領域のＤＣＩとが、同じ割当リソースブロック数（N_PRB）とＭＣＳ（Ｉ＿ＭＣＳ）との組合せを指示していても、最大レイヤ数を制限することにより、最大トランスポートブロックサイズ（又は、コードブロックサイズとコードブロック数との積の最大値）を制限することができる。より具体的に例示すると、最大２レイヤ送信までをサポートするＤＣＩ（ＤＣＩ  ｆｏｒｍａｔ２）をＰＤＣＣＨ領域に割り当てる場合には、基地局は、端末に対して最大２レイヤ送信までを指示できる。一方、最大２レイヤ送信までをサポートするＤＣＩ（ＤＣＩ  ｆｏｒｍａｔ２）をＲ−ＰＤＣＣＨ領域に割り当てる場合には、基地局は、端末に対して１レイヤ送信のみを指示できる。
【０１１８】
又は、ＤＣＩ  ｆｏｒｍａｔ自体に制約を与えることでも、トランスポートブロックを制限できる。すなわち、ＤＣＩ（ＤＬ  ａｓｓｉｇｎｍｅｎｔ）がＰＤＣＣＨ領域に割り当てられた場合にサポートするＤＣＩ  ｆｏｒｍａｔは、１レイヤ送信のみをサポートするＤＣＩ  ｆｏｒｍａｔ、又は、最大２レイヤ送信までをサポートするＤＣＩ  ｆｏｒｍａｔであるとする。また、ＤＣＩがスロット１のＲ−ＰＤＣＣＨ領域に割り当てられた場合にサポートするＤＣＩ  ｆｏｒｍａｔは、１レイヤ送信のみをサポートするＤＣＩ  ｆｏｒｍａｔであるとする。
【０１１９】
ただし、上記した、トランスポートブロックの制限方法のいずれを用いたとしても、ＤＣＩがＲ−ＰＤＣＣＨ領域に割り当てられた場合の（Ｒ−）ＰＤＳＣＨのトランスポートブロックサイズが、ＤＣＩがＰＤＣＣＨ領域に割り当てられた場合のＰＤＳＣＨの最大トランスポートブロックサイズに「最大トランスポートブロックサイズの制限率」を乗じた値を超えてはならない。
【０１２０】
［実施の形態２］
実施の形態２でも、実施の形態１と同様に、サブフレーム内において時間方向で順番に設けられた、ＰＤＣＣＨ領域と、スロット０のＲ−ＰＤＣＣＨ領域と、スロット１のＲ−ＰＤＣＣＨ領域の内から、ＤＣＩが示す下りデータサイズに応じて、そのＤＣＩをマッピングするマッピング領域が設定される。ただし、実施の形態２では、下りデータサイズに応じたマッピング領域候補として複数のリソース領域がある場合の、その複数のリソース領域がマッピング領域として設定される優先度が、設定される。実施の形態２に係る基地局及び端末の基本構成は、実施の形態１と共通するので、図７、８を援用して説明する。
【０１２１】
実施の形態２の基地局１００において、設定部１０１は、下りデータサイズに応じたマッピング領域候補として複数のリソース領域がある場合に、或るリソース領域を他のリソース領域に対して優先的にマッピング領域として設定する。
【０１２２】
このマッピング領域の設定は、例えば、次のように行われる。
（１）設定部１０１は、処理対象のＤＣＩが示すトランスポートサイズが１６１５２ビット以下である場合（つまり、下りデータサイズが小さい場合）には、第１に、スロット０のＲ−ＰＤＣＣＨ領域及びスロット１のＲ−ＰＤＣＣＨ領域、第２に、ＰＤＣＣＨ領域の順番で優先度を下げ、この優先度に従ってマッピング領域を設定する。すなわち、スロット０のＲ−ＰＤＣＣＨ領域及びスロット１のＲ−ＰＤＣＣＨ領域は、ＰＤＣＣＨ領域よりも優先的にマッピング領域として設定される。
（２）設定部１０１は、処理対象のＤＣＩが示すトランスポートサイズが１６１５２ビットより大きく、かつ、５３８４０ビット以下である場合（つまり、下りデータサイズが中程度の場合）には、第１に、スロット１のＲ−ＰＤＣＣＨ領域、第２に、ＰＤＣＣＨ領域の順番で優先度を下げ、この優先度に従ってマッピング領域を設定する。１６１５２ビットがスロット０のＲ−ＰＤＣＣＨ領域のサイズ上限値を超えているので、スロット０のＲ−ＰＤＣＣＨ領域は、マッピング領域候補から除外されている。すなわち、スロット１のＲ−ＰＤＣＣＨ領域は、ＰＤＣＣＨ領域よりも優先的にマッピング領域として設定される。
（３）設定部１０１は、処理対象のＤＣＩが示すトランスポートサイズが５３８４０ビットより大きい場合（つまり、下りデータサイズが大きい場合）には、ＰＤＣＣＨ領域をマッピング領域として設定する。
【０１２３】
ここで、実際の基地局の運用においては、基地局の配下で通信している端末の数が多いためＰＤＣＣＨ領域が逼迫する懸念が生じた場合に、Ｒ−ＰＤＣＣＨ領域に対して端末向けのＤＣＩを割り当てることが予想される。従って、上記のような優先度に従ってマッピング領域を設定することにより、ＰＤＣＣＨ領域が逼迫する状況が生じる可能性自体を軽減することができる。
【０１２４】
上記説明では、実施の形態１と同様に、Ｎ＝３の場合を用いて説明を行っているが、Ｎが２以上であれば特にＮの値は限定されるものではない。
【０１２５】
以上のように本実施の形態によれば、設定部１０１は、第ｎ＋１のリソース領域についてのサイズ上限値より大きく、且つ、第ｎのリソース領域についてのサイズ上限値以下の下りデータサイズを示す、処理対象の割当制御情報に対して、第１よりも、第２から第ｎのリソース領域のいずれかを優先的に前記マッピング領域として設定する。
【０１２６】
こうすることで、ＰＤＣＣＨ領域が逼迫する状況が生じる可能性自体を軽減することができる。
【０１２７】
なお、このマッピング領域の設定方法は、実施の形態１と同様に、割当制御情報（ＤＣＩ）に限定されるものではなく、上りの制御情報に対しても適用することができる。
【０１２８】
［実施の形態３］
実施の形態３でも、実施の形態２と同様に、下りデータサイズに応じたマッピング領域候補として複数のリソース領域がある場合の、その複数のリソース領域がマッピング領域として設定される優先度が、設定される。実施の形態３に係る基地局及び端末の基本構成は、実施の形態１と共通するので、図７、８を援用して説明する。
【０１２９】
実施の形態３の基地局１００において、設定部１０１は、下りデータサイズに応じたマッピング領域候補として複数のリソース領域がある場合に、或るリソース領域を他のリソース領域に対して優先的にマッピング領域として設定する。
【０１３０】
このマッピング領域の設定は、例えば、次のように行われる。
（１）設定部１０１は、処理対象のＤＣＩが示すトランスポートサイズが１６１５２ビット以下である場合（つまり、下りデータサイズが小さい場合）には、第１に、スロット０のＲ−ＰＤＣＣＨ領域、第２に、スロット１のＲ−ＰＤＣＣＨ領域、第３に、ＰＤＣＣＨ領域の順番で優先度を下げ、この優先度に従ってマッピング領域を設定する。
（２）設定部１０１は、処理対象のＤＣＩが示すトランスポートサイズが１６１５２ビットより大きく、かつ、５３８４０ビット以下である場合（つまり、下りデータサイズが中程度の場合）には、第１に、スロット１のＲ−ＰＤＣＣＨ領域、第２に、ＰＤＣＣＨ領域の順番で優先度を下げ、この優先度に従ってマッピング領域を設定する。１６１５２ビットがスロット０のＲ−ＰＤＣＣＨ領域のサイズ上限値を超えているので、スロット０のＲ−ＰＤＣＣＨ領域は、マッピング領域候補から除外されている。すなわち、スロット１のＲ−ＰＤＣＣＨ領域は、ＰＤＣＣＨ領域よりも優先的にマッピング領域として設定される。
（３）設定部１０１は、処理対象のＤＣＩが示すトランスポートサイズが５３８４０ビットより大きい場合（つまり、下りデータサイズが大きい場合）には、ＰＤＣＣＨ領域をマッピング領域として設定する
【０１３１】
以上のようなマッピング領域の設定方法によっても、実施の形態２と同様の効果が得られる。
【０１３２】
以上のように本実施の形態によれば、設定部１０１は、第ｎ＋１（ｎは、２以上Ｎ以下の自然数）のリソース領域についてのサイズ上限値より大きく、且つ、第ｎのリソース領域についてのサイズ上限値以下の下りデータサイズを示す、処理対象のＤＣＩに対して、第１から第ｎ−１のリソース領域よりも、第ｎのリソース領域を優先的にマッピング領域として設定する。
【０１３３】
こうすることで、ＰＤＣＣＨ領域が逼迫する状況が生じる可能性自体を軽減することができる。
【０１３４】
なお、このマッピング領域の設定方法は、実施の形態１と同様に、割当制御情報（ＤＣＩ）に限定されるものではなく、上りの制御情報に対しても適用することができる。
【０１３５】
［実施の形態４］
実施の形態１乃至３では、下りデータサイズが、トランスポートブロックサイズとして定義されるのに対して、実施の形態４では、下りデータサイズが、コードブロックサイズとコードブロック数との積として定義される。実施の形態４に係る基地局及び端末の基本構成は、実施の形態１と共通するので、図７、８を援用して説明する。
【０１３６】
すなわち、端末におけるターボ復号器は、実際には、トランスポートブロックから算出される、複数のコードブロックサイズに依存して動作する。従って、実施の形態４では、設定部１０１は、サブフレーム内において時間方向で順番に設けられた、ＰＤＣＣＨ領域と、スロット０のＲ−ＰＤＣＣＨ領域と、スロット１のＲ−ＰＤＣＣＨ領域の内から、コードブロックサイズとコードブロック数との積に応じて、ＤＣＩをマッピングするマッピング領域を設定する。
【０１３７】
従って、各リソース領域に設定可能なＤＣＩが示す下りデータサイズのサイズ上限値も、コードブロックサイズとコードブロック数との積によって規定される。
【０１３８】
ここで、サイズ上限値として設定しうる最大値は、以下のように算出することができる。
【０１３９】
ＤＣＩがＰＤＣＣＨに割り当てられる場合の「コードブロックサイズとコードブロック数との積」の最大値は、５８２４（コードブロックサイズ）×１３（コードブロック数）＝７５７１２ビットである。これは、最大トランスポートブロックサイズ（＝７５３７６）に対して、各コードブロック、および、トランスポートブロックに対する２４ビットのＣＲＣビットが付加されているためである。すなわち、コードブロック用のＣＲＣとして２４×１３（コードブロック数）＝３１２ビット、トランスポートブロック用のＣＲＣとして２４ビットの合計３３６ビットが付加されたものである。また、コードブロック数は、トランスポートブロックサイズにトランスポートブロック用のＣＲＣを付加した値を、セグメンテーションサイズ（segmentation size）＝６１４４で除算した値の小数点以下を切り上げた整数として求められる。すなわち、（７５３７６＋２４）／６１４４＝１２．２７・・・より、コードブロック数は１３と算出される。
【０１４０】
これにより、ＤＣＩがスロット０のＲ−ＰＤＣＣＨ領域に割り当てられた場合の「コードブロックサイズとコードブロック数の積」が取りうる値の最大値は、７５７１２×（１−４／１４）＝５４０８０となり、ＤＣＩがスロット１のＲ−ＰＤＣＣＨ領域に割り当てられた場合、７５７１２×（１−１１／１４）＝１６２２４となる。
【０１４１】
「コードブロックサイズとコードブロック数との積」からトランスポートブロックサイズを逆算すると、次の値となる。
（１）ＤＣＩがスロット０のＲ−ＰＤＣＣＨに割り当てられた場合：
５３８４０＝６０１６（第一のコードブロックサイズ）×８（第一のコードブロック数）＋５９５２（第二のコードブロックサイズ）×１（第二のコードブロック数）−２４（コードブロック用のＣＲＣ）×９（全コードブロック数）−２４（トランスポートブロック用のＣＲＣ）
（２）ＤＣＩがスロット１のＲ−ＰＤＣＣＨに割り当てられた場合：
１６１２８＝５４４０（第一のコードブロックサイズ）×２（第一のコードブロック数）＋５３７６（第二のコードブロックサイズ）×１（第二のコードブロック数）−２４（コードブロック用のＣＲＣ）×３（全コードブロック数）−２４（トランスポートブロック用のＣＲＣ）−３２（フィラービット）
【０１４２】
なお、取りうるコードブロックサイズが離散的な値であるため、サイズの異なる第一のコードブロックと第二のコードブロックを用いて、トランスポートブロックサイズに合わせている。また、トランスポートブロックサイズも離散的な値であるため、離散的な規定のトランスポートブロックサイズに合わせるために、フィラービットを付加している。
【０１４３】
実際には、ターボ復号器の動作時間が１ｍｓ以下となればよい。従って、ＤＣＩがＰＤＣＣＨに割り当てられる場合の「コードブロックサイズとコードブロック数との積」を７５７１２とすると、ＤＣＩがスロット０のＲ−ＰＤＣＣＨ領域に割り当てられる場合の最大トランスポートブロックサイズは５３８４０以下である。また、ＤＣＩがスロット１のＲ−ＰＤＣＣＨ領域に割り当てられる場合の最大トランスポートブロックサイズは１６１２８以下である。
【０１４４】
またなお、上記説明では、サブフレーム長（１．０ｍｓ）に合わせるために、１サブフレームあたりのターボ復号器の動作時間が１．０ｍｓ以下に収まるように、各処理の処理時間が１ｍｓ以下となるパイプライン処理を想定している（図１１、図１２参照）。ここで、図１１は、端末に対して、ＰＤＣＣＨ領域によってＤＬ  ａｓｓｉｇｎｍｅｎｔが通知された場合のパイプライン処理を表す。
【０１４５】
図１２は、スロット０のＲ−ＰＤＣＣＨ領域によってＤＬ  ａｓｓｉｇｎｍｅｎｔが通知された場合のパイプライン処理を表す。スロット０のＲ−ＰＤＣＣＨ領域によってＤＬ  ａｓｓｉｇｎｍｅｎｔが通知された場合、ＰＤＣＣＨ領域によってＤＬ  ａｓｓｉｇｎｍｅｎｔが通知される場合に比べて、ブラインド復号処理開始時間が４／１４ｍｓ遅れるが、誤り検出結果の通知タイミングは遅れない。そのため、各処理の処理時間が１ｍｓ以下となるパイプライン処理をする場合には、次のようになる。この場合、スロット０のＲ−ＰＤＣＣＨ領域によってＤＬ  ａｓｓｉｇｎｍｅｎｔが通知された場合の「コードブロックサイズとコードブロック数との積」の最大値は、ＰＤＣＣＨ領域によってＤＬ  ａｓｓｉｇｎｍｅｎｔが通知された場合の「コードブロックサイズとコードブロック数との積」の最大値の（１−４／１４）÷１≒０．７１倍になる。同様に、スロット１のＲ−ＰＤＣＣＨ領域によってＤＬ  ａｓｓｉｇｎｍｅｎｔが通知される場合には、（１−１１／１４）÷１≒０．２１倍になる。
【０１４６】
これに対して、より一般的には、４つの下りサブフレームにおけるＰＤＳＣＨに対して、４並列の処理を行うこともできる（図１３、図１４参照）。この４並列の処理では、図１３に示すように、ＰＤＣＣＨ領域によってＤＬ  ａｓｓｉｇｎｍｅｎｔが通知された場合、１１／１４＋３≒３．８ｍｓで「コードブロックサイズとコードブロック数との積」の最大値をもつＰＤＳＣＨを処理すればよい。これに対して、図１４に示すように、スロット０のＲ−ＰＤＣＣＨ領域でＤＬ  ａｓｓｉｇｎｍｅｎｔが通知された場合、７／１４＋３＝３．５ｍｓでＰＤＳＣＨを処理する必要がある。そのため、スロット０のＲ−ＰＤＣＣＨ領域によってＤＬ  ａｓｓｉｇｎｍｅｎｔが通知された場合の「コードブロックサイズとコードブロック数との積」の最大値は、ＰＤＣＣＨ領域によってＤＬ  ａｓｓｉｇｎｍｅｎｔが通知された場合の最大トランスポートブロックサイズの、３．５／３．８≒０．９２倍になる。同様に、スロット１のＲ−ＰＤＣＣＨ領域によってＤＬ  ａｓｓｉｇｎｍｅｎｔが通知された場合、３．０ｍｓでＰＤＳＣＨを処理する必要がある。そのため、スロット１のＲ−ＰＤＣＣＨ領域によってＤＬ  ａｓｓｉｇｎｍｅｎｔが通知された場合の「コードブロックサイズとコードブロック数との積」の最大値は、ＰＤＣＣＨ領域でＤＬ  ａｓｓｉｇｎｍｅｎｔが通知された場合の「コードブロックサイズとコードブロック数との積」の最大値の、３．０／３．８≒０．７９倍になる。すなわち、「コードブロックサイズとコードブロック数との積の最大値の制限率」は、４並列の処理では、スロット０のＲ−ＰＤＣＣＨ領域によってＤＬ  ａｓｓｉｇｎｍｅｎｔが通知される場合には０．９２倍、スロット１のＲ−ＰＤＣＣＨ領域によってＤＬ  ａｓｓｉｇｎｍｅｎｔが通知される場合には０．７９倍となる。
【０１４７】
［実施の形態５］
実施の形態１乃至３では、下りデータサイズが、トランスポートブロックサイズとして定義されるのに対して、実施の形態５では、下りデータサイズが、割当リソースブロック数（Ｎ＿ＰＲＢ）に対応するＭＣＳ（Ｉ＿ＭＣＳ）として定義される。実施の形態５に係る基地局及び端末の基本構成は、実施の形態１と共通するので、図７、８を援用して説明する。
【０１４８】
すなわち、上述の通り、トランスポートブロックサイズは、ＤＣＩ内の、割当リソースブロック数（Ｎ＿ＰＲＢ）、および、ＭＣＳ（Ｉ＿ＭＣＳ）で規定される。従って、実施の形態５では、設定部１０１は、サブフレーム内において時間方向で順番に設けられた、ＰＤＣＣＨ領域と、スロット０のＲ−ＰＤＣＣＨ領域と、スロット１のＲ−ＰＤＣＣＨ領域の内から、割当リソースブロック数（Ｎ＿ＰＲＢ）に対応するＭＣＳ（Ｉ＿ＭＣＳ）に応じて、ＤＣＩをマッピングするマッピング領域を設定する。
【０１４９】
従って、各リソース領域に設定可能なＤＣＩが示す下りデータサイズのサイズ上限値も、割当リソースブロック数（Ｎ＿ＰＲＢ）に対応するＭＣＳ（Ｉ＿ＭＣＳ）によって規定される。なお、この場合には、ＤＣＩがＲ−ＰＤＣＣＨ領域に割り当てられる場合の最大トランスポートブロックサイズが、実施の形態１乃至４で規定される値以下である必要がある。
【０１５０】
以上のことから、例えば、図１５に示される、ＭＣＳのインデックス（Ｉ＿ＭＣＳ）とトランスポートサイズのインデックス（I_TBS）とが対応づけられるテーブルでは、ＭＣＳのインデックス（Ｉ＿ＭＣＳ）及びトランスポートサイズのインデックス（I_TBS）が３つのグループに分けられる。また、割当リソースブロック数（Ｎ＿ＰＲＢ）の範囲ごとに、ＭＣＳのインデックス（Ｉ＿ＭＣＳ）とトランスポートサイズのインデックス（I_TBS）とが対応づけられるテーブルが保持されている。図１５Ａは、割当リソースブロック数（Ｎ＿ＰＲＢ）が８１〜９０の範囲に対応するテーブルであり、図１５Ｂは、割当リソースブロック数（Ｎ＿ＰＲＢ）が９１〜１００の範囲に対応するテーブルである。
【０１５１】
図１５のテーブルにおいて、領域１には、スロット０のＲ−ＰＤＣＣＨ領域及びスロット１のＲ−ＰＤＣＣＨ領域にはマッピングされず且つＰＤＣＣＨ領域にのみマッピングされる、ＭＣＳのインデックス（Ｉ＿ＭＣＳ）が規定されている。また、領域２には、スロット１のＲ−ＰＤＣＣＨ領域にはマッピングされず且つスロット０のＲ−ＰＤＣＣＨ領域又はＰＤＣＣＨ領域にのみマッピングされる、ＭＣＳのインデックス（Ｉ＿ＭＣＳ）が規定されている。また、領域３には、スロット０のＲ−ＰＤＣＣＨ領域、スロット１のＲ−ＰＤＣＣＨ領域及びＰＤＣＣＨ領域にマッピングされる、ＭＣＳのインデックス（Ｉ＿ＭＣＳ）が規定されている。
【０１５２】
［実施の形態６］
実施の形態１乃至５では、各リソース領域に対して、設定可能なＤＣＩが示す下りデータサイズのサイズ上限値を設けたことにより、ＤＣＩで伝えるべき情報量（つまり、ＤＣＩビット数）が低減される。実施の形態６では、この低減されたビットの用途バリエーションが示される。
【０１５３】
すなわち、図１５に示すように、Ｉ＿ＭＣＳは０〜３１までの値をとりうるので、Ｉ＿ＭＣＳのビット数は５ビットである。これに対して、スロット１のＲ−ＰＤＣＣＨ領域のＩ＿ＭＣＳの最大値は、Ｎ＿ＰＲＢが９１〜１００の場合には、１０となる。このため、スロット１のＲ−ＰＤＣＣＨ領域のＩ＿ＭＣＳのビット数は、４ビットあれば十分である。つまり、１ビット分だけＤＣＩビット数が低減される。
【０１５４】
低減されたＤＣＩのビットを利用する用途バリエーションとしては、以下のものが考えられる。
【０１５５】
＜バリエーション１＞
低減されたＤＣＩのビットに対して、そのＤＣＩのパリティビットを割り当てることができる。これにより、ＤＣＩの誤り率特性を改善することができる。
【０１５６】
＜バリエーション２＞
低減されたＤＣＩのビットに対して、このＤＣＩが存在するスロットよりも時間軸上で後に存在するＰＤＣＣＨ領域（又は、Ｒ−ＰＤＣＣＨ領域）においてこのＤＣＩと同じ端末宛のＤＣＩ（又はＵＣＩ）が存在するか否かを表す情報を、割り当てる。これにより、端末におけるブラインド復号負荷を軽減することができる。
【０１５７】
＜バリエーション３＞
低減されたＤＣＩのビットに対して、このＤＣＩが存在するスロットよりも時間軸上で後に存在するＰＤＣＣＨ領域（又は、Ｒ−ＰＤＣＣＨ領域）における、このＤＣＩと同じ端末宛のＤＣＩ（又はＵＣＩ）のＣＣＥ連結数を限定する情報を、割り当てる。これにより、端末におけるブラインド復号負荷を軽減することができる。
【０１５８】
＜バリエーション４＞
低減されたＤＣＩのビットに対して、このＤＣＩが存在するスロットよりも時間軸上で後に存在するＰＤＣＣＨ領域（又は、Ｒ−ＰＤＣＣＨ領域）における、このＤＣＩと同じ端末宛のＤＣＩ（又はＵＣＩ）のＣＣＥ連結数に対するブラインド復号回数を限定する情報を、割り当てる。これにより、端末におけるブラインド復号負荷を軽減することができる。
【０１５９】
＜バリエーション５＞
低減されたＤＣＩのビットに対して、このＤＣＩが存在するＲ−ＰＤＣＣＨ領域においてこのＤＣＩと同じ端末宛のＵＣＩが存在するか否かを表す情報を、割り当てる。これにより、端末におけるブラインド復号負荷を軽減することができる。
【０１６０】
＜バリエーション６＞
低減されたＤＣＩのビットに対して、このＤＣＩが存在するＲ−ＰＤＣＣＨ領域における、このＤＣＩと同じ端末宛のＵＣＩのＣＣＥ連結数を限定する情報を、割り当てる。これにより、端末におけるブラインド復号負荷を軽減することができる。
【０１６１】
＜バリエーション７＞
低減されたＤＣＩのビットに対して、このＤＣＩが存在するＲ−ＰＤＣＣＨ領域における、このＤＣＩと同じ端末宛のＵＣＩのＣＣＥ連結数に対するブラインド復号回数を限定する情報を、割り当てる。これにより、端末におけるブラインド復号負荷を軽減することができる。
【０１６２】
［実施の形態７］
実施の形態１では、ＴＡ値を考慮せずに、又は、ＴＡ値を最大値で固定して、端末における処理可能時間から、Ｒ−ＰＤＣＣＨ領域にＤＬ  ａｓｓｉｇｎｍｅｎｔが割り当てられた場合の下り最大データサイズを算出した。これに対して、実施の形態７では、ＴＡ値を可変値とした場合における、Ｒ−ＰＤＣＣＨ領域にＤＬ  ａｓｓｉｇｎｍｅｎｔが割り当てられた場合の下り最大データサイズを算出する。実施の形態７に係る基地局及び端末の基本構成は、実施の形態１と共通するので、図７、８を援用して説明する。
【０１６３】
ただし、ここでいうＴＡ値とは、基地局が想定するＴＡ値である。すなわち、基地局は端末に対して、ＴＡ値の絶対値と、逐次ＴＡ値を補正するための相対値とを通知することができる。そのため、基地局が想定するＴＡ値とは、基地局が端末に通知した絶対値と、基地局がこれまで端末に対して通知した相対値の累積値との和である。なお、基地局が端末に対して通知したＴＡ値の絶対値若しくは相対値を端末が受信失敗した場合、又は、端末自体の異動若しくはクロックドリフトによる受信タイミングから送信タイミングのずれを端末が吸収する場合において、端末は実際に用いているＴＡ値を自律的に補正することができる。このため、基地局が想定するＴＡ値と端末が実際に用いているＴＡ値とは、必ずしも一致しない。
【０１６４】
基地局１００において、設定部１０１は、サブフレーム内において時間方向で順番に設けられた、ＰＤＣＣＨ領域と、スロット０のＲ−ＰＤＣＣＨ領域と、スロット１のＲ−ＰＤＣＣＨ領域の内から、ＤＣＩが示す下りデータサイズに応じて、そのＤＣＩをマッピングするマッピング領域を設定する。
【０１６５】
このマッピング領域の設定には、設定ルールテーブルが用いられる。この設定テーブルでは、ＰＤＣＣＨ領域と、ＰＤＣＣＨ領域に設定可能なＤＣＩが示す下りデータサイズのサイズ上限値とが対応付けられている。また、スロット０のＲ−ＰＤＣＣＨ領域及びスロット１のＲ−ＰＤＣＣＨ領域のそれぞれと、ＴＡ値と、各リソース領域に設定可能なＤＣＩが示す下りデータサイズのサイズ上限値とが対応付けられている。ここでは、下りデータサイズは、トランスポートブロックサイズとして定義される。
【０１６６】
より具体的には、ＰＤＣＣＨ領域に設定可能なＤＣＩが示す下りデータサイズのサイズ上限値は、ＴＡ値の最大値により規定され、ＴＡ値の大小によらず一定の値をとる。一方、Ｒ−ＰＤＣＣＨ領域に設定可能なＤＣＩが示す下りデータサイズのサイズ上限値は、ＴＡ値の最大値とＴＡ値との差分により規定され、ＴＡ値が小さいほど大きくなる。したがって、ＴＡ値が最大値をとるとき、ＰＤＣＣＨ領域、スロット０のＲ−ＰＤＣＣＨ領域、スロット１のＲ−ＰＤＣＣＨ領域の順番で、サイズ上限値は小さくなる。そして、ＴＡ値か最大値から小さくなるにつれて、スロット０のＲ−ＰＤＣＣＨ領域、および、スロット１のＲ−ＰＤＣＣＨ領域に設定可能なＤＣＩが示す下りデータサイズのサイズ上限値は大きくなる。ただし、いずれのＴＡ値においても、スロット０のＲ−ＰＤＣＣＨ領域に設定可能なＤＣＩが示す下りデータサイズのサイズ上限値は、スロット１のＲ−ＰＤＣＣＨ領域に設定可能なＤＣＩが示す下りデータサイズのサイズ上限値よりも大きい。
【０１６７】
すなわち、設定部１０１は、ＰＤＣＣＨ領域については、ＤＣＩ及びＴＡ値の最大値が示すデータサイズと、設定ルールテーブルとに基づいて、マッピング領域を設定する。一方、設定部１０１は、スロット０のＲ−ＰＤＣＣＨ領域及びスロット１のＲ−ＰＤＣＣＨ領域については、ＤＣＩ及びＴＡ値が示すデータサイズと、設定ルールテーブルとに基づいて、マッピング領域を設定する。
【０１６８】
なお、上記説明では、Ｒ−ＰＤＣＣＨ領域に設定可能なＤＣＩが示す下りデータサイズのサイズ上限値のみがＴＡ値に依存（ＴＡ値が小さいほどサイズ上限値は大きい）するとした。しかし、これに限定されず、ＰＤＣＣＨ領域に設定可能なＤＣＩが示す下りデータサイズのサイズ上限値もまた、ＴＡ値に依存（ＴＡ値が小さいほどサイズ上限値は大きい）していてもよい。
【０１６９】
ここで、Ｒ−ＰＤＣＣＨ処理および（Ｒ−）ＰＤＳＣＨ処理にかけられる時間は、ＤＣＩのマッピング領域がＰＤＣＣＨ領域、スロット０のＲ−ＰＤＣＣＨ領域、又はスロット１のＲ−ＰＤＣＣＨ領域である場合でそれぞれ異なる。従って、Ｒ−ＰＤＣＣＨ処理および（Ｒ−）ＰＤＳＣＨ処理にかけられる時間が少ないほど、サイズ上限値を減少させることにより、ＤＣＩ及び下りデータの受信側である端末２００は、ＬＴＥ端末におけるＰＤＣＣＨ処理およびＰＤＳＣＨ処理と同等の処理スピードで処理を行っても、所定のＡＣＫ／ＮＡＣＫ送信タイミングに間に合わせることができる。
【０１７０】
端末２００において、復号回路を有するＰＤＳＣＨ受信部２０８は、ＰＤＣＣＨ受信部２０７から受け取る下りリソース割当情報に基づいて、分離部２０５から受け取るＰＤＳＣＨ信号を復号し、受信データ（下り回線データ）を得る。また、ＰＤＳＣＨ受信部２０８は、その受信データ（下り回線データ）に対して誤り検出を行う。そして、ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。
【０１７１】
またここで、サイズ上限値として設定しうる最大値は、以下のように算出することができる。
（Ｒ−）ＰＤＣＣＨ復号処理、（Ｒ−）ＰＤＳＣＨ復号処理、ＡＣＫ／ＮＡＣＫ送信準備の処理にかけられる時間は、（１）自端末宛のＤＣＩがＰＤＣＣＨ領域に割り当てられる場合、（２）スロット０のＲ−ＰＤＣＣＨ領域に割り当てられる場合、（３）スロット１のＲ−ＰＤＣＣＨ領域に割り当てられる場合で、次の値となる。
（１）ＰＤＣＣＨ領域に割り当てられる場合：
１１（ＯＦＤＭシンボル）／１４（ＯＦＤＭシンボル）＋３−ｔＴＡ＿ＭＡＸ（ＴＡ値の最大値）≒３．８−ｔＴＡ＿ＭＡＸｍｓ
（２）スロット０のＲ−ＰＤＣＣＨ領域に割り当てられる場合：
７（ＯＦＤＭシンボル）／１４（ＯＦＤＭシンボル）＋３−ｔＴＡ（ＴＡ値（0≦ｔＴＡ≦ｔＴＡ＿ＭＡＸ））＝３．５−ｔＴＡｍｓ（つまり、ＰＤＣＣＨ領域に割り当てられる場合に比べて、４／１４−（ｔＴＡ＿ＭＡＸ−ｔＴＡ）ｍｓだけ短い）
（３）スロット１のＲ−ＰＤＣＣＨ領域に割り当てられる場合：
３．０−ｔＴＡｍｓ（つまり、ＰＤＣＣＨ領域に割り当てられる場合に比べて、１１／１４−（ｔＴＡ＿ＭＡＸ−ｔＴＡ）ｍｓだけ短い）
【０１７２】
一方で、処理のボトルネックになると考えられるターボ復号器の最大動作時間は、ＰＤＣＣＨ領域に割当可能な最大トランスポートブロックサイズ（＝７５３７６）において、１．０ｍｓである。これは、データが最大トランスポートブロックサイズで連続的に送信される場合に、１サブフレーム長（１．０ｍｓ）を超える処理時間がかかってしまうと、送信されるデータに対して復号処理が追いつかなくなるためである。ターボ復号器の最大動作時間が、１サブフレーム長（＝１．０ｍｓ）又はそれ以下になるように、ターボ復号器では、並列処理等を行って動作時間を短縮する。なお、ターボ復号器の最大動作時間が１．０ｍｓ以下となることとしたが、これはターボ復号器に限らず、（Ｒ−）ＰＤＳＣＨ復号処理において最も時間を要する処理の最大動作時間が１．０ｍｓ以下となることを意図している。以降では、最も時間を要する処理がターボ復号器であるとして説明する。
【０１７３】
以上のことから、ＤＣＩがスロット０のＲ−ＰＤＣＣＨ領域に割り当てられた場合のトランスポートブロックサイズが取りうる値の最大値（つまり、サイズ上限値は、この値以下であれば良い）は、７５３７６×（１−（４／１４−（ｔＴＡ＿ＭＡＸ−ｔＴＡ））＝５３８４０＋７５３７６×（ｔＴＡ＿ＭＡＸ−ｔＴＡ）となる。また、ＤＣＩがスロット１のＲ−ＰＤＣＣＨ領域に割り当てられた場合のトランスポートブロックサイズが取りうる値の最大値（つまり、サイズ上限値は、この値以下であれば良い）は、７５３７６×（１−（１１／１４−（ｔＴＡ＿ＭＡＸ−ｔＴＡ））＝１６１５２＋７５３７６×（ｔＴＡ＿ＭＡＸ−ｔＴＡ）となる。
【０１７４】
実際には、ターボ復号器の動作時間が１．０ｍｓ以下となればよい。従って、ＤＣＩがＰＤＣＣＨに割り当てられる場合の最大トランスポートブロックサイズを７５３７６とすると、ＤＣＩがスロット０のＲ−ＰＤＣＣＨ領域に割り当てられる場合の最大トランスポートブロックサイズは５３８４０＋７５３７６×（ｔＴＡ＿ＭＡＸ−ｔＴＡ）以下である。また、ＤＣＩがスロット１のＲ−ＰＤＣＣＨ領域に割り当てられる場合の最大トランスポートブロックサイズは１６１５２＋７５３７６×（ｔＴＡ＿ＭＡＸ−ｔＴＡ）以下である。
【０１７５】
なお、自端末宛のＤＣＩがスロット０のＲ−ＰＤＣＣＨ領域に割り当てられる場合において、ＴＡ値がｔＴＡ＿ＭＡＸ−４／１４ｍｓよりも小さい場合には、次のようになる。この場合、スロット０の（Ｒ−）ＰＤＣＣＨ復号処理、（Ｒ−）ＰＤＳＣＨ復号処理、および、ＡＣＫ／ＮＡＣＫ送信準備の処理にかけられる時間が、ＰＤＣＣＨ復号処理、ＰＤＳＣＨ復号処理、および、ＡＣＫ／ＮＡＣＫ送信準備の処理にかけられる時間よりも長くなる。そのため、このとき、ＤＣＩがスロット０のＲ−ＰＤＣＣＨ領域に割り当てられた場合のトランスポートブロックが取りうる値の最大値を、ＤＣＩがＰＤＣＣＨ領域に割り当てられた場合のトランスポートブロックが取りうる値の最大値（上記の例の場合、７５３７６）と同じにしてもよい。或いは、ＤＣＩがＰＤＣＣＨ領域に割り当てられた場合のトランスポートブロックが取りうる値の最大値（＝７５３７６）より大きくしてもよい。以降は、ＴＡ値がｔＴＡ＿ＭＡＸ−４／１４ｍｓよりも小さい場合、ＤＣＩがスロット０のＲ−ＰＤＣＣＨ領域に割り当てられた場合のトランスポートブロックが取りうる値の最大値を、ＤＣＩがＰＤＣＣＨ領域に割り当てられた場合のトランスポートブロックが取りうる値の最大値（上記の例の場合、７５３７６）と同じになるとして説明する。
【０１７６】
図９に示す、トランスポートサイズのインデックス（I_TBS）と割当リソースブロック数（N_PRB）とのペアに対してトランスポートブロックサイズが対応付けられたテーブルでは、トランスポートブロックサイズが３つのグループに分けられる。図９のテーブルにおいて、領域１には、スロット０のＲ−ＰＤＣＣＨ領域及びスロット１のＲ−ＰＤＣＣＨ領域にはマッピングされず且つＰＤＣＣＨ領域にのみマッピングされる、ＤＣＩの示すトランスポートブロックが規定されている。また、領域２には、スロット１のＲ−ＰＤＣＣＨ領域にはマッピングされず且つスロット０のＲ−ＰＤＣＣＨ領域又はＰＤＣＣＨ領域にのみマッピングされる、ＤＣＩの示すトランスポートブロックが規定されている。また、領域３には、スロット０のＲ−ＰＤＣＣＨ領域、スロット１のＲ−ＰＤＣＣＨ領域及びＰＤＣＣＨ領域にマッピングされる、ＤＣＩの示すトランスポートブロックが規定されている。さらに、前記領域１、領域２および領域３は、ＴＡ値に基づいて、その領域が変動する。より具体的には、領域３と領域２の境界は、ＴＡ値が小さくなるほどトランスポートブロックサイズを大きくすることができるため、図９のテーブル内、下方に遷移していく。同時に、領域２と領域１の境界もまた、図９のテーブル内、下方に遷移していく。領域２と領域１の境界は、ＴＡ値がｔＴＡ＿ＭＡＸ−４／１４ｍｓよりも小さい場合、図９のテーブル内の下限にまで遷移する（この場合、領域１はなくなる）。すなわち、Ｒ−ＰＤＣＣＨ領域にＤＣＩが割り当てられる場合、ＴＡ値がＴＡ値の最大値から小さくなるにつれて、（Ｒ−）ＰＤＳＣＨに割当可能な最大トランスポートブロックサイズを大きくすることができる。
【０１７７】
なお、上記ではトランスポートブロックサイズが３つのグループに分けられると説明した。しかし、ＤＣＩがスロット０のＲ−ＰＤＣＣＨ領域に割り当てられる場合の最大トランスポートブロックサイズを、スロット１のＲ−ＰＤＣＣＨ領域に割り当てられる場合の最大トランスポートブロックサイズに合わせることで、これらを１つのグループにまとめ、２つのグループに分けることもできる。すなわち、図９において、領域１及び領域２には、スロット０のＲ−ＰＤＣＣＨ領域及びスロット１のＲ−ＰＤＣＣＨ領域にはマッピングされず且つＰＤＣＣＨ領域にのみマッピングされる、ＤＣＩの示すトランスポートブロックが規定される。また、領域３には、スロット０のＲ−ＰＤＣＣＨ領域及びスロット１のＲ−ＰＤＣＣＨ領域及びＰＤＣＣＨ領域にマッピングされる、ＤＣＩの示すトランスポートブロックが規定される。
【０１７８】
また、ＤＣＩ（ＤＬ  ａｓｓｉｇｎｍｅｎｔ）をスロット１のＲ−ＰＤＣＣＨ領域には割り当てないと規定された場合も、トランスポートブロックサイズを２つのグループに分けることができる。すなわち、図９において、領域１には、スロット０のＲ−ＰＤＣＣＨ領域にはマッピングされず且つＰＤＣＣＨ領域にのみマッピングされる、ＤＣＩの示すトランスポートブロックが規定される。また、領域２及び領域３には、スロット０のＲ−ＰＤＣＣＨ領域及びＰＤＣＣＨ領域にマッピングされる、ＤＣＩの示すトランスポートブロックが規定される。
【０１７９】
以上のように本実施の形態によれば、基地局１００において、設定部１０１が、サブフレーム内において時間方向で順番に設けられた、ＰＤＣＣＨ領域と、スロット０のＲ−ＰＤＣＣＨ領域と、スロット１のＲ−ＰＤＣＣＨ領域の内から、ＤＣＩが示す下りデータサイズに応じて、そのＤＣＩをマッピングするマッピング領域を設定する。
【０１８０】
こうすることで、ＤＣＩがマッピングされるマッピング領域の時間位置に関わらず、受信側（端末２００）におけるデータ受信処理に余裕を持たせることができる。すなわち、受信側（端末２００）におけるＲ−ＰＤＣＣＨの処理時間マージンをより多く確保しつつ、ＬＴＥ動作時のデータ受信処理におけるオーバースペックな動作を回避できる。
【０１８１】
また、このマッピング領域の設定に用いられる設定ルールテーブルでは、ＰＤＣＣＨ領域と、ＰＤＣＣＨ領域に設定可能なＤＣＩが示す下りデータサイズのサイズ上限値とが対応付けられている。また、設定ルールテーブルでは、スロット０のＲ−ＰＤＣＣＨ領域及びスロット１のＲ−ＰＤＣＣＨ領域のそれぞれと、ＴＡ値と、各リソース領域に設定可能なＤＣＩが示す下りデータサイズのサイズ上限値とが対応付けられている。ここでは、下りデータサイズは、トランスポートブロックサイズとして定義される。そして、ＰＤＣＣＨ領域、スロット０のＲ−ＰＤＣＣＨ領域、スロット１のＲ−ＰＤＣＣＨ領域でそれぞれ、サイズ上限値が異なる。
【０１８２】
なお、以上の説明では、ＤＣＩ（＝ＤＬ  ａｓｓｉｇｎｍｅｎｔ）が、ＰＤＣＣＨ領域、スロット０のＲ−ＰＤＣＣＨ領域、スロット１のＲ−ＰＤＣＣＨ領域に割り当てられる場合を説明している。しかしながら、これに限定されるものではなく、例えば、ＤＬ  ａｓｓｉｇｎｍｅｎｔをスロット１のＲ−ＰＤＣＣＨ領域には割り当てないと規定されたとしても、Ｒ−ＰＤＣＣＨ処理および（Ｒ−）ＰＤＳＣＨ処理（スロット０のみ）にかけられる時間の減少分に応じて、サイズ上限値をＰＤＣＣＨ領域、スロット０のＲ−ＰＤＣＣＨ領域の順番で減少させれば良い。すなわち、上記したマッピング領域の設定方法は、ＰＤＣＣＨ領域、スロット０のＲ−ＰＤＣＣＨ領域、スロット１のＲ−ＰＤＣＣＨ領域のうちの、２つ以上の領域に対して、ＤＬ  ａｓｓｉｇｎｍｅｎｔが割り当てることができる場合において有効である。
【０１８３】
要は、基地局１００において設定部１０１が、処理対象のＤＣＩが示す下りデータサイズに応じて、通信単位時間（例えば、サブフレーム）内において時間方向で順番に設けられた、第１から第Ｎ（Ｎは、２以上の自然数）のリソース領域の内から、処理対象のＤＣＩをマッピングするマッピング領域を設定すれば良い。
【０１８４】
また、以上の説明では、下りデータに割り当てるリソース領域に関する情報及び前記下りデータのサイズに関するデータサイズ情報を含む割当制御情報（ＤＣＩ）について説明したが、本発明はこれに限定されるものではなく、上りの制御情報に対しても適用することができる。要は、処理対象の制御情報が示すデータサイズに応じて、通信単位時間内において時間方向で順番に設けられた、第１から第Ｎ（Ｎは、２以上の自然数）のリソース領域の内から、処理対象の制御情報をマッピングするマッピング領域が設定されれば良い。この場合、マッピング領域の設定に用いられる設定ルールテーブルでは、図１６に示すように、第１から第Ｎのリソース領域と、ＴＡ値と、各リソース領域に設定可能な割当制御情報が示す下りデータサイズのサイズ上限値とが対応付けられ、第１から第Ｎのリソース領域の内の第ｎ’（ｎ’は、３以上Ｎ以下の自然数）のリソース領域についてのサイズ上限値が第ｎ’−１のリソース領域についてのサイズ上限値よりも小さくなっていれば良い。なお、図１６における第１のリソース領域とはＰＤＣＣＨ領域を表す。
【０１８５】
またなお、上記説明では、サブフレーム長（１．０ｍｓ）に合わせるために、１サブフレームあたりのターボ復号器の動作時間が１．０ｍｓ以下に収まるように、各処理の処理時間が１ｍｓ以下となるパイプライン処理を想定している（図１１、図１７参照）。ここで、図１１は、端末に対して、ＰＤＣＣＨ領域によってＤＬ  ａｓｓｉｇｎｍｅｎｔが通知された場合のパイプライン処理を表す。
【０１８６】
図１７は、スロット０のＲ−ＰＤＣＣＨ領域によってＤＬ  ａｓｓｉｇｎｍｅｎｔが通知された場合のパイプライン処理を表す。スロット０のＲ−ＰＤＣＣＨ領域によってＤＬ  ａｓｓｉｇｎｍｅｎｔが通知された場合、ＰＤＣＣＨ領域によってＤＬ  ａｓｓｉｇｎｍｅｎｔが通知される場合に比べて、ブラインド復号処理開始時間が４／１４ｍｓ遅れるが、誤り検出結果の通知タイミングは遅れない。そのため、各処理の処理時間が１ｍｓ以下となるパイプライン処理をする場合には、次のようになる。この場合、スロット０のＲ−ＰＤＣＣＨ領域によってＤＬ  ａｓｓｉｇｎｍｅｎｔが通知された場合の最大トランスポートブロックサイズは、ＰＤＣＣＨ領域によってＤＬ  ａｓｓｉｇｎｍｅｎｔが通知された場合の最大トランスポートブロックサイズの（１−４／１４＋（ｔＴＡ＿ＭＡＸ−ｔＴＡ））÷１≒０．７１＋（ｔＴＡ＿ＭＡＸ−ｔＴＡ）倍になる。同様に、スロット１のＲ−ＰＤＣＣＨ領域によってＤＬ  ａｓｓｉｇｎｍｅｎｔが通知される場合は、（１−１１／１４＋（ｔＴＡ＿ＭＡＸ−ｔＴＡ））÷１≒０．２１＋（ｔＴＡ＿ＭＡＸ−ｔＴＡ）倍になる。すなわち、「最大トランスポートブロックサイズの制限率」は、この場合、スロット０のＲ−ＰＤＣＣＨ領域によってＤＬ  ａｓｓｉｇｎｍｅｎｔが通知される場合は、０．７１＋（ｔＴＡ＿ＭＡＸ−ｔＴＡ）倍、スロット１のＲ−ＰＤＣＣＨ領域によってＤＬ  ａｓｓｉｇｎｍｅｎｔが通知される場合は０．２１＋（ｔＴＡ＿ＭＡＸ−ｔＴＡ）倍となる。
【０１８７】
これに対して、より一般的には、４つの下りサブフレームにおけるＰＤＳＣＨに対して、４並列の処理を行うこともできる（図１３、図１８参照）。この場合、図１３に示すように、ＰＤＣＣＨ領域によってＤＬ  ａｓｓｉｇｎｍｅｎｔが通知された場合、１１／１４＋３−ｔＴＡ＿ＭＡＸ≒３．８ｍｓ−ｔＴＡ＿ＭＡＸの間に、最大トランスポートブロックサイズをもつＰＤＳＣＨを処理すればよい。これに対して、図１８に示すように、スロット０のＲ−ＰＤＣＣＨ領域によってＤＬ  ａｓｓｉｇｎｍｅｎｔが通知された場合、７／１４＋３−ｔＴＡ＝３．５−ｔＴＡｍｓの間に、ＰＤＳＣＨを処理する必要がある。そのため、スロット０のＲ−ＰＤＣＣＨ領域によってＤＬ  ａｓｓｉｇｎｍｅｎｔが通知された場合の最大トランスポートブロックサイズは、ＰＤＣＣＨ領域によってＤＬ  ａｓｓｉｇｎｍｅｎｔが通知された場合の最大トランスポートブロックサイズの、（３．５−ｔＴＡ＿ＭＡＸ）／（３．８−ｔＴＡ）倍になる。同様に、スロット１のＲ−ＰＤＣＣＨ領域によってＤＬ  ａｓｓｉｇｎｍｅｎｔが通知された場合、３．０−ｔＴＡｍｓの間にＰＤＳＣＨを処理する必要がある。そのため、スロット１のＲ−ＰＤＣＣＨ領域によってＤＬ  ａｓｓｉｇｎｍｅｎｔが通知された場合の最大トランスポートブロックサイズは、ＰＤＣＣＨ領域でＤＬ  ａｓｓｉｇｎｍｅｎｔが通知された場合の最大トランスポートブロックサイズの、（３．０−ｔＴＡ）／（３．８−ｔＴＡ＿ＭＡＸ）倍になる。すなわち、「最大トランスポートブロックサイズの制限率」は、この場合、スロット０のＲ−ＰＤＣＣＨ領域でＤＬ  ａｓｓｉｇｎｍｅｎｔが通知される場合は、（３．５−ｔＴＡ＿ＭＡＸ）／（３．８−ｔＴＡ）倍、スロット１のＲ−ＰＤＣＣＨ領域でＤＬ  ａｓｓｉｇｎｍｅｎｔが通知される場合は（３．０−ｔＴＡ）／（３．８−ｔＴＡ＿ＭＡＸ）倍となる。
【０１８８】
またなお、トランスポートブロックサイズの制限は、ＤＣＩ（ＤＬ  ａｓｓｉｇｎｍｅｎｔ）が割り当てられるＲ−ＰＤＣＣＨ領域に基づいて、トランスポートサイズのインデックス（I_TBS）と割当リソースブロック数（N_PRB）との組合せに制約を与えること実現された。しかしながら、本発明はこの方法のみに限定されるものではない。具体的には、実施の形態１において示した制限方法と同一であるため、その説明を割愛する。
【０１８９】
又は、ＴＡ値に基づいた簡単なトランスポートブロックサイズの制限方法として、ＤＣＩがＲ−ＰＤＣＣＨ領域に割り当てられた場合の（Ｒ−）ＰＤＳＣＨのトランスポートブロックサイズに対して、ＴＡ値に対応した「最大トランスポートブロックサイズの制限率」を乗算する方法もある。例えば、各処理の処理時間が１ｍｓ以下となるパイプライン処理を想定した場合において、ＴＡ値が０ｍｓ以上、０．６６／４＝０．１６５ｍｓ未満のとき、ＤＣＩがスロット１のＲ−ＰＤＣＣＨ領域に割り当てられた場合の（Ｒ−）ＰＤＳＣＨのトランスポートブロックサイズは、ＤＣＩがＰＤＣＣＨ領域に割り当てられた場合のＰＤＳＣＨのトランスポートブロックサイズを（１−１１／１４＋（０．６６−０．１６５））÷１≒０．７１倍した値未満とする。同様に、ＴＡ値が０．１６５ｍｓ以上、０．３３ｍｓ未満のときは、（１−１１／１４＋（０．６６−０．３３））÷１≒０．５５倍した値未満とし、ＴＡ値が０．３３ｍｓ以上、０．４９５ｍｓ未満のときは、（１−１１／１４＋（０．６６−０．４９５））÷１≒０．３８倍した値未満とし、ＴＡ値が０．４９５ｍｓ以上、０．６６ｍｓ以下のときは、（１−１１／１４＋（０．６６−０．６６））÷１≒０．２１倍した値以下とする。
【０１９０】
ただし、いずれの方法を用いたとしても、ＤＣＩがＲ−ＰＤＣＣＨ領域に割り当てられた場合の（Ｒ−）ＰＤＳＣＨのトランスポートブロックサイズが、ＤＣＩがＰＤＣＣＨ領域に割り当てられた場合のＰＤＳＣＨの最大トランスポートブロックサイズに「最大トランスポートブロックサイズの制限率」を乗じた値を超えてはならない。
【０１９１】
［実施の形態８］
実施の形態８は、実施の形態７の技術と実施の形態２の技術との組合せに関する。すなわち、実施の形態８では、下りデータサイズに応じたマッピング領域候補として複数のリソース領域がある場合の、その複数のリソース領域がマッピング領域として設定される優先度が、設定される。実施の形態８に係る基地局及び端末の基本構成は、実施の形態７と共通する。
【０１９２】
すなわち、本実施の形態によれば、基地局１００において、設定部１０１は、第ｎ＋１のリソース領域についてのサイズ上限値より大きく、且つ、第ｎのリソース領域についてのサイズ上限値以下の下りデータサイズを示す、処理対象の割当制御情報に対して、第１よりも、第２から第ｎのリソース領域のいずれかを優先的に前記マッピング領域として設定する。
【０１９３】
こうすることで、ＰＤＣＣＨ領域が逼迫する状況が生じる可能性自体を軽減することができる。
【０１９４】
なお、このマッピング領域の設定方法は、実施の形態７と同様に、割当制御情報（ＤＣＩ）に限定されるものではなく、上りの制御情報に対しても適用することができる。
【０１９５】
［実施の形態９］
実施の形態９は、実施の形態７の技術と実施の形態３の技術との組合せに関する。すなわち、実施の形態９でも、実施の形態８と同様に、下りデータサイズに応じたマッピング領域候補として複数のリソース領域がある場合の、その複数のリソース領域がマッピング領域として設定される優先度が、設定される。実施の形態９に係る基地局及び端末の基本構成は、実施の形態７と共通するので、図７、８を援用して説明する。
【０１９６】
実施の形態９の基地局１００において、設定部１０１は、下りデータサイズに応じたマッピング領域候補として複数のリソース領域がある場合に、或るリソース領域を他のリソース領域に対して優先的にマッピング領域として設定する。
【０１９７】
このマッピング領域の設定は、例えば、次のように行われる。
（１）設定部１０１は、処理対象のＤＣＩが示すトランスポートサイズが１６１５２＋７５３７６×（ｔＴＡ＿ＭＡＸ−ｔＴＡ）ビット以下である場合（つまり、下りデータサイズが小さい場合）。この場合には、第１に、スロット０のＲ−ＰＤＣＣＨ領域、第２に、スロット１のＲ−ＰＤＣＣＨ領域、第３に、ＰＤＣＣＨ領域の順番で優先度を下げ、この優先度に従ってマッピング領域を設定する。
（２）設定部１０１は、処理対象のＤＣＩが示すトランスポートサイズが１６１５２ビット＋７５３７６×（ｔＴＡ＿ＭＡＸ−ｔＴＡ）より大きく、かつ、５３８４０＋７５３７６×（ｔＴＡ＿ＭＡＸ−ｔＴＡ）ビット以下である場合（つまり、下りデータサイズが中程度の場合）。この場合には、第１に、スロット１のＲ−ＰＤＣＣＨ領域、第２に、ＰＤＣＣＨ領域の順番で優先度を下げ、この優先度に従ってマッピング領域を設定する。１６１５２＋７５３７６×（ｔＴＡ＿ＭＡＸ−ｔＴＡ）ビットがスロット０のＲ−ＰＤＣＣＨ領域のサイズ上限値を超えているので、スロット０のＲ−ＰＤＣＣＨ領域は、マッピング領域候補から除外されている。すなわち、スロット１のＲ−ＰＤＣＣＨ領域は、ＰＤＣＣＨ領域よりも優先的にマッピング領域として設定される。
（３）設定部１０１は、処理対象のＤＣＩが示すトランスポートサイズが５３８４０＋７５３７６×（ｔＴＡ＿ＭＡＸ−ｔＴＡ）ビットより大きい場合（つまり、下りデータサイズが大きい場合）には、ＰＤＣＣＨ領域をマッピング領域として設定する。
【０１９８】
以上のようなマッピング領域の設定方法によっても、実施の形態８と同様の効果が得られる。
【０１９９】
以上のように本実施の形態によれば、設定部１０１は、第ｎ＋１（ｎは、２以上Ｎ以下の自然数）のリソース領域についてのサイズ上限値より大きく、且つ、第ｎのリソース領域についてのサイズ上限値以下の下りデータサイズを示す、処理対象のＤＣＩに対して、第１から第ｎ−１のリソース領域よりも、第ｎのリソース領域を優先的にマッピング領域として設定する。
【０２００】
こうすることで、ＰＤＣＣＨ領域が逼迫する状況が生じる可能性自体を軽減することができる。
【０２０１】
なお、このマッピング領域の設定方法は、実施の形態７と同様に、割当制御情報（ＤＣＩ）に限定されるものではなく、上りの制御情報に対しても適用することができる。
【０２０２】
［実施の形態１０］
実施の形態７乃至９では、下りデータサイズが、トランスポートブロックサイズとして定義されるのに対して、実施の形態１０では、下りデータサイズが、コードブロックサイズとコードブロック数との積として定義される。実施の形態１０に係る基地局及び端末の基本構成は、実施の形態７と共通するので、図７、８を援用して説明する。
【０２０３】
すなわち、端末におけるターボ復号器は、実際には、トランスポートブロックから算出される、複数のコードブロックサイズに依存して動作する。従って、実施の形態１０では、設定部１０１は、サブフレーム内において時間方向で順番に設けられた、ＰＤＣＣＨ領域と、スロット０のＲ−ＰＤＣＣＨ領域と、スロット１のＲ−ＰＤＣＣＨ領域の内から、コードブロックサイズとコードブロック数との積に応じて、ＤＣＩをマッピングするマッピング領域を設定する。
【０２０４】
従って、各リソース領域に設定可能なＤＣＩが示す下りデータサイズのサイズ上限値も、コードブロックサイズとコードブロック数との積によって規定される。
【０２０５】
ここで、サイズ上限値として設定しうる最大値は、以下のように算出することができる。
【０２０６】
ＤＣＩがＰＤＣＣＨに割り当てられる場合の「コードブロックサイズとコードブロック数との積」の最大値は、５８２４（コードブロックサイズ）×１３（コードブロック数）＝７５７１２ビットである。これは、最大トランスポートブロックサイズ（＝７５３７６）に対して、各コードブロック、および、トランスポートブロックに対する２４ビットのＣＲＣビットが付加されているためである。すなわち、コードブロック用のＣＲＣとして２４×１３（コードブロック数）＝３１２ビット、トランスポートブロック用のＣＲＣとして２４ビットの合計３３６ビットが付加されたものである。また、コードブロック数は、トランスポートブロックサイズにトランスポートブロック用のＣＲＣを付加した値を、セグメンテーションサイズ（segmentation size）＝６１４４で除算した値の小数点以下を切り上げた整数として求められる。すなわち、（７５３７６＋２４）／６１４４＝１２．２７・・・より、コードブロック数は１３と算出される。
【０２０７】
これにより、ＤＣＩがスロット０のＲ−ＰＤＣＣＨ領域に割り当てられた場合の「コードブロックサイズとコードブロック数の積」が取りうる値の最大値は、７５７１２×（１−（４／１４−（ｔＴＡ＿ＭＡＸ−ｔＴＡ）））＝５４０８０＋（ｔＴＡ＿ＭＡＸ−ｔＴＡ）となる。また、ＤＣＩがスロット１のＲ−ＰＤＣＣＨ領域に割り当てられた場合、７５７１２×（１−（１１／１４−（ｔＴＡ＿ＭＡＸ−ｔＴＡ）））＝１６２２４＋（ｔＴＡ＿ＭＡＸ−ｔＴＡ）となる。
【０２０８】
「コードブロックサイズとコードブロック数との積」から、ＤＣＩがスロット０のＲ−ＰＤＣＣＨ領域に割り当てられた場合、および、ＤＣＩがスロット１のＲ−ＰＤＣＣＨ領域に割り当てられた場合のトランスポートブロックサイズを逆算することができる。
【０２０９】
なお、取りうるコードブロックサイズが離散的な値であるため、サイズの異なる第一のコードブロックと第二のコードブロックを用いて、トランスポートブロックサイズに合わせている。また、トランスポートブロックサイズも離散的な値であるため、離散的な規定のトランスポートブロックサイズに合わせるために、フィラービットを付加する場合がある。
【０２１０】
実際には、ターボ復号器の動作時間が１ｍｓ以下となればよい。従って、ＤＣＩがＰＤＣＣＨに割り当てられる場合の「コードブロックサイズとコードブロック数との積」を７５７１２とすると、ＤＣＩがスロット０のＲ−ＰＤＣＣＨ領域に割り当てられる場合の最大トランスポートブロックサイズは５４０８０＋（ｔＴＡ＿ＭＡＸ−ｔＴＡ）以下である。また、ＤＣＩがスロット１のＲ−ＰＤＣＣＨ領域に割り当てられる場合の最大トランスポートブロックサイズは１６２２４＋（ｔＴＡ＿ＭＡＸ−ｔＴＡ）以下である。
【０２１１】
またなお、上記説明では、サブフレーム長（１．０ｍｓ）に合わせるために、１サブフレームあたりのターボ復号器の動作時間が１．０ｍｓ以下に収まるように、各処理の処理時間が１ｍｓ以下となるパイプライン処理を想定している（図１１、図１７参照）。ここで、図１１は、端末に対して、ＰＤＣＣＨ領域によってＤＬ  ａｓｓｉｇｎｍｅｎｔが通知された場合のパイプライン処理を表す。
【０２１２】
図１７は、スロット０のＲ−ＰＤＣＣＨ領域でＤＬ  ａｓｓｉｇｎｍｅｎｔが通知された場合のパイプライン処理を表す。スロット０のＲ−ＰＤＣＣＨ領域によってＤＬ  ａｓｓｉｇｎｍｅｎｔが通知された場合、ＰＤＣＣＨ領域によってＤＬ  ａｓｓｉｇｎｍｅｎｔが通知される場合に比べて、ブラインド復号処理開始時間が４／１４ｍｓ遅れるが、誤り検出結果の通知タイミングは遅れない。そのため、各処理の処理時間が１ｍｓ以下となるパイプライン処理をする場合には、次のようになる。この場合、スロット０のＲ−ＰＤＣＣＨ領域によってＤＬ  ａｓｓｉｇｎｍｅｎｔが通知された場合の「コードブロックサイズとコードブロック数との積」の最大値は、ＰＤＣＣＨ領域によってＤＬ  ａｓｓｉｇｎｍｅｎｔが通知された場合の「コードブロックサイズとコードブロック数との積」の最大値の（１−４／１４＋（ｔＴＡ＿ＭＡＸ−ｔＴＡ））÷１≒０．７１＋（ｔＴＡ＿ＭＡＸ−ｔＴＡ）倍になる。同様に、スロット１のＲ−ＰＤＣＣＨ領域でＤＬ  ａｓｓｉｇｎｍｅｎｔが通知される場合は、（１−１１／１４＋（ｔＴＡ＿ＭＡＸ−ｔＴＡ））÷１≒０．２１＋（ｔＴＡ＿ＭＡＸ−ｔＴＡ）倍になる。
【０２１３】
これに対して、より一般的には、４つの下りサブフレームに対するＰＤＳＣＨに対して、４並列の処理を行うこともできる（図１３、図１８参照）。この４並列の処理では、図１３に示すように、ＰＤＣＣＨ領域によってＤＬ  ａｓｓｉｇｎｍｅｎｔが通知された場合、１１／１４＋３−ｔＴＡ＿ＭＡＸ≒３．８−ｔＴＡ＿ＭＡＸｍｓで「コードブロックサイズとコードブロック数との積」の最大値をもつＰＤＳＣＨを処理すればよい。これに対して、図１８に示すように、スロット０のＲ−ＰＤＣＣＨ領域によってＤＬ  ａｓｓｉｇｎｍｅｎｔが通知された場合は、７／１４＋３−ｔＴＡ＝３．５−ｔＴＡｍｓでＰＤＳＣＨを処理する必要がある。そのため、スロット０のＲ−ＰＤＣＣＨ領域によってＤＬ  ａｓｓｉｇｎｍｅｎｔが通知された場合の「コードブロックサイズとコードブロック数との積」の最大値は、ＰＤＣＣＨ領域によってＤＬ  ａｓｓｉｇｎｍｅｎｔが通知された場合の最大トランスポートブロックサイズの、（３．５−ｔＴＡ）／（３．８−ｔＴＡ＿ＭＡＸ）倍になる。同様に、スロット１のＲ−ＰＤＣＣＨ領域によってＤＬ  ａｓｓｉｇｎｍｅｎｔが通知された場合は、３．０−ｔＴＡｍｓでＰＤＳＣＨを処理する必要がある。そのため、スロット１のＲ−ＰＤＣＣＨ領域によってＤＬ  ａｓｓｉｇｎｍｅｎｔが通知された場合の「コードブロックサイズとコードブロック数との積」の最大値は、ＰＤＣＣＨ領域によってＤＬ  ａｓｓｉｇｎｍｅｎｔが通知された場合の「コードブロックサイズとコードブロック数との積」の最大値の、（３．０−ｔＴＡ）／（３．８−ｔＴＡ＿ＭＡＸ）倍になる。すなわち、「コードブロックサイズとコードブロック数との積の最大値の制限率」は、４並列の処理では、スロット０のＲ−ＰＤＣＣＨ領域によってＤＬ  ａｓｓｉｇｎｍｅｎｔが通知される場合には、（３．５−ｔＴＡ）／（３．８−ｔＴＡ＿ＭＡＸ）倍、スロット１のＲ−ＰＤＣＣＨ領域によってＤＬ  ａｓｓｉｇｎｍｅｎｔが通知される場合には（３．０−ｔＴＡ）／（３．８−ｔＴＡ＿ＭＡＸ）倍となる。
【０２１４】
［実施の形態１１］
実施の形態７乃至９では、下りデータサイズが、トランスポートブロックサイズとして定義されるのに対して、実施の形態１１では、下りデータサイズが、割当リソースブロック数（Ｎ＿ＰＲＢ）に対応するＭＣＳ（Ｉ＿ＭＣＳ）として定義される。実施の形態１１に係る基地局及び端末の基本構成は、実施の形態７と共通するので、図７、８を援用して説明する。
【０２１５】
すなわち、上述の通り、トランスポートブロックサイズは、ＤＣＩ内の、割当リソースブロック数（Ｎ＿ＰＲＢ）、ＭＣＳ（Ｉ＿ＭＣＳ）、および、ＴＡ値で規定される。従って、実施の形態１１では、設定部１０１は、サブフレーム内において時間方向で順番に設けられた、ＰＤＣＣＨ領域と、スロット０のＲ−ＰＤＣＣＨ領域と、スロット１のＲ−ＰＤＣＣＨ領域の内から、割当リソースブロック数（Ｎ＿ＰＲＢ）に対応するＭＣＳ（Ｉ＿ＭＣＳ）とＴＡ値に応じて、ＤＣＩをマッピングするマッピング領域を設定する。
【０２１６】
従って、各リソース領域に設定可能なＤＣＩが示す下りデータサイズのサイズ上限値も、割当リソースブロック数（Ｎ＿ＰＲＢ）に対応するＭＣＳ（Ｉ＿ＭＣＳ）、および、ＴＡ値によって規定される。なお、この場合には、ＤＣＩがＲ−ＰＤＣＣＨ領域に割り当てられる場合の最大トランスポートブロックサイズが、実施の形態７乃至１０で規定される値以下である必要がある。
【０２１７】
以上のことから、例えば、図１５に示される、ＭＣＳのインデックス（Ｉ＿ＭＣＳ）とトランスポートサイズのインデックス（I_TBS）とが対応づけられるテーブルでは、ＭＣＳのインデックス（Ｉ＿ＭＣＳ）及びトランスポートサイズのインデックス（I_TBS）が３つのグループに分けられる。また、割当リソースブロック数（Ｎ＿ＰＲＢ）の範囲ごとに、ＭＣＳのインデックス（Ｉ＿ＭＣＳ）とトランスポートサイズのインデックス（I_TBS）とが対応づけられるテーブルが保持されている。図１５Ａは、割当リソースブロック数（Ｎ＿ＰＲＢ）が８１〜９０の範囲に対応するテーブルであり、図１５Ｂは、割当リソースブロック数（Ｎ＿ＰＲＢ）が９１〜１００の範囲に対応するテーブルである。
【０２１８】
図１５のテーブルにおいて、領域１には、スロット０のＲ−ＰＤＣＣＨ領域及びスロット１のＲ−ＰＤＣＣＨ領域にはマッピングされず且つＰＤＣＣＨ領域にのみマッピングされる、ＭＣＳのインデックス（Ｉ＿ＭＣＳ）が規定されている。また、領域２には、スロット１のＲ−ＰＤＣＣＨ領域にはマッピングされず且つスロット０のＲ−ＰＤＣＣＨ領域又はＰＤＣＣＨ領域にのみマッピングされる、ＭＣＳのインデックス（Ｉ＿ＭＣＳ）が規定されている。また、領域３には、スロット０のＲ−ＰＤＣＣＨ領域、スロット１のＲ−ＰＤＣＣＨ領域及びＰＤＣＣＨ領域にマッピングされる、ＭＣＳのインデックス（Ｉ＿ＭＣＳ）が規定されている。さらに、前記領域１、領域２および領域３は、ＴＡ値に基づいて、その領域が変動する。より具体的には、領域３と領域２の境界は、ＴＡ値が小さくなるほどトランスポートブロックサイズを大きくすることができるため、図１５のテーブル内において、下方に遷移していく。同時に、領域２と領域１の境界もまた、図１５のテーブル内において、下方に遷移していく。領域２と領域１の境界は、ＴＡ値がｔＴＡ＿ＭＡＸ−４／１４ｍｓよりも小さい場合、図１５のテーブル内の下限にまで遷移する。したがってこの場合、領域１はなくなる。
【０２１９】
［実施の形態１２］
実施の形態７乃至１１では、各リソース領域に対して、設定可能なＤＣＩが示す下りデータサイズのサイズ上限値を設けたことにより、ＤＣＩで伝えるべき情報量（つまり、ＤＣＩビット数）が低減される。実施の形態１２では、この低減されたビットの用途バリエーションが示される。
【０２２０】
すなわち、図１５に示すように、Ｉ＿ＭＣＳは０〜３１までの値をとりうるので、Ｉ＿ＭＣＳのビット数は５ビットである。これに対して、スロット１のＲ−ＰＤＣＣＨ領域のＩ＿ＭＣＳの最大値は、Ｎ＿ＰＲＢが９１〜１００の場合には、１０となる。このため、スロット１のＲ−ＰＤＣＣＨ領域のＩ＿ＭＣＳのビット数は、４ビットあれば十分である。つまり、１ビット分だけＤＣＩビット数が低減される。
【０２２１】
なお、低減されたＤＣＩのビットを利用する用途バリエーションとしては、実施の形態６と同一であるため、その説明を割愛する。
【０２２２】
［他の実施の形態］
［１］上記各実施の形態において、Ｒ−ＰＤＣＣＨは、スロット０とスロット１をまたいだ領域に設定されてもよい。例えば、４番目のＯＦＤＭシンボルからスロット１の最終ＯＦＤＭシンボルまで、あるいは、ＰＤＣＣＨ領域の最終ＯＦＤＭシンボルの次のＯＦＤＭシンボルからスロット１の最終ＯＦＤＭシンボルまでをＲ−ＰＤＣＣＨ領域に設定してもよい。また、Ｒ−ＰＤＣＣＨ領域は、ＯＦＤＭシンボル単位で設定されてもよい。すなわち、Ｒ−ＰＤＣＣＨ領域の周波数方向の割当位置は、図３に示す領域に限定されるものではない。
【０２２３】
［２］上記各実施の形態において、ＴＤＤ運用時、下りサブフレームにおける下りデータの誤り検出結果を、当該下りサブフレームの４サブフレーム後の上りサブフレームで通知する場合、次の（１）の設定、および、（２）の設定としてもよい（図１９参照）。（１）当該下りサブフレームにおいてのみ、Ｒ−ＰＤＣＣＨ領域のＤＬ  ａｓｓｉｇｎｍｅｎｔが示す下りデータサイズのサイズ上限値を、ＰＤＣＣＨ領域のＤＬ  ａｓｓｉｇｎｍｅｎｔが示す下りデータサイズのサイズ上限値よりも小さく設定する。（２）当該下りサブフレーム以外の下りサブフレームにおいては、Ｒ−ＰＤＣＣＨ領域のＤＬ  ａｓｓｉｇｎｍｅｎｔが示す下りデータサイズのサイズ上限値と、ＰＤＣＣＨ領域のＤＬ  ａｓｓｉｇｎｍｅｎｔが示す下りデータサイズのサイズ上限値とを同じ値に設定にする。
【０２２４】
［３］実施の形態７乃至１２において、ＴＡ値の代わりに、基地局−端末間の往復の伝搬遅延量を用いてもよい。なお、ＴＡ値は、一般的には基地局−端末間の伝搬遅延量に設定されるが、必ずしもそのように設定されるものではない。ＴＡ値は、端末での送信時間をどれだけ早めるかの設定値を表し、例えば、リレー中継局と端末間においては、伝搬遅延よりもＴＡ値を大きく設定する場合がある。
【０２２５】
また、実施の形態７乃至１２において、ＴＡ値の代わりに、端末から通知されるＲＲＣメッセージのUE Rx Tx time differenceを用いてもよい。UE Rx Tx time differenceは、端末が受信した下りラジオフレーム＃ｉのタイミングと、端末が送信する上りラジオフレーム＃ｉのタイミングの差で表される。
【０２２６】
［４］上記各実施の形態における、Ｒ−ＰＤＣＣＨは、Ｅ（ＥｎｈａｎｃｅｄまたはＥｘｔｅｎｄｅｄ）−ＰＤＣＣＨと表現される場合もある。
【０２２７】
［５］上記各実施の形態における、下りデータサイズのサイズ上限値は、端末がサポートする最大のレイヤ数における最大トランスポートブロックサイズである。
【０２２８】
［６］上記各実施の形態においては、以下に説明するブラインド復号回数分配例がもちいられてもよい。
【０２２９】
基地局配下の端末に向けたＤＣＩをＲ−ＰＤＣＣＨ領域にも配置する場合であっても、各Ｒ−ＰＤＣＣＨは、ＰＤＣＣＨと同様、１つまたは連続する複数のＲ−ＣＣＥ（Relay-Control Channel Element）で構成されるリソースを占有する。また、Ｒ−ＰＤＣＣＨが占有するＲ−ＣＣＥ数（Ｒ−ＣＣＥ連結数：Relay CCE aggregation level）としては、割当制御情報の情報ビット数または端末の伝搬路状態に応じて、１，２，４，８の中の１つが選択される。
【０２３０】
しかしながら、基地局に接続された端末（基地局配下の端末）に向けたＤＣＩを送信するリソース領域として、ＰＤＣＣＨ領域に、Ｒ−ＰＤＣＣＨ領域を単純に加えるだけでは、端末におけるブラインド復号回数が増加し、端末の消費電力及び処理遅延の増大、及び、回路規模の増大が発生してしまうという課題が生じる。例えば、１サブフレームにおいて、ＰＤＣＣＨ領域及びＲ−ＰＤＣＣＨ領域の各々にサーチスペースが設定される場合、各領域での、端末におけるブラインド復号回数を６０回とすると、端末は、サブフレームあたり、合計１２０回（＝６０回×２領域）のブラインド復号を行うことになってしまう。すなわち、ブラインド復号の回数が増大し、端末の構成が複雑化してしまう。
【０２３１】
一方、１サブフレームにおける端末でのブラインド復号領域候補の総数（すなわち、ブラインド復号回数の総数）を、上記従来と同程度（例えば、６０回）として、ＰＤＣＣＨ領域及びＲ−ＰＤＣＣＨ領域の各々にサーチスペースを配分する設定方法が考えられる。しかしながら、この場合、ＰＤＣＣＨ領域およびＲ−ＰＤＣＣＨ領域それぞれにおけるサーチスペースの大きさが１／２程度になってしまい、基地局は、特定の端末向けのＤＣＩに対してＣＣＥを割り当てることができなくなる可能性（つまり、blocking probability）が高くなる。このため、基地局は、当該端末向けの制御信号の送信タイミングを変更したり、必要十分なＣＣＥ連結数と異なるＣＣＥ連結数を用いたりする必要が生じる。しかし、制御信号の送信タイミングを変更すると、伝送遅延が発生してしまう。また、ＣＣＥ連結数を不必要に大きくすることは、Ｒ−ＰＤＣＣＨ領域のリソースを無駄に使用することになり、逆に、ＣＣＥ連結数をより小さくすることは、当該端末に対して所望の通信品質を満足させることができなくなる。
【０２３２】
このため、リソースが有効利用できなくなることに起因する、システムスループット低下を招く可能性がある。従って、基地局配下の端末向けのＤＣＩをＰＤＣＣＨ領域及びＲ−ＰＤＣＣＨ領域を用いて送信する際、端末のブラインド復号回数を増加させることなく、かつ、基地局におけるリソース割当の柔軟性低下を防ぐことができる方法が望まれる。
【０２３３】
ここで、ＴＡ値が大きいほど、ＤＣＩ（ＤＬ  ａｓｓｉｇｎｍｅｎｔ）がＲ−ＰＤＣＣＨ領域に割当可能な最大トランスポートブロックサイズが小さくなり、大きいトランスポートブロックに対するＤＬ  ａｓｓｉｇｎｍｅｎｔはＰＤＣＣＨ領域に割り当てる可能性が高くなるため、Ｒ−ＰＤＣＣＨ領域にＤＬ  ａｓｓｉｇｎｍｅｎｔを割り当てられる可能性が低くなる。そこで、ＤＬ  ａｓｓｉｇｎｍｅｎｔがＰＤＣＣＨ領域に割り当てられた場合の最大トランスポートブロックサイズに比べて、Ｒ−ＰＤＣＣＨ領域に割り当てられた場合の最大トランスポートブロックサイズが小さいほど、ＰＤＣＣＨ領域のブラインド復号回数を、Ｒ−ＰＤＣＣＨ領域のブラインド復号回数より少なく配分する。これにより、端末のブラインド復号回数を増加させることなく、かつ、基地局におけるリソース割当の柔軟性を防ぐことができる。
【０２３４】
図２０は、ブラインド復号回数の配置例の説明に供する図である。図２０Ａ乃至Ｄは、ＰＤＣＣＨ領域およびＲ−ＰＤＣＣＨ領域のブラインド復号回数の配分例を示す。図２０Ａ乃至Ｄのそれぞれにおける、ブラインド復号回数の総数は１６回である。そして、図２０Ａでは、ブラインド復号回数はＰＤＣＣＨ領域のみに対して配分される。そして、図２０Ｂ、図２０Ｃの順に、ブラインド復号回数のＲ−ＰＤＣＣＨ領域に対する配分の割合が多くなる。そして、図２０Ｄでは、ブラインド復号回数はＲ−ＰＤＣＣＨ領域のみに対して配分される。そして、図２０Ｅに示すテーブルに従って、ＴＡ値に対するブラインド復号回数の配分方法が決定する。すなわち、ＴＡ値がより大きいほど、ＰＤＣＣＨ領域のブラインド復号回数を増やす一方、ＴＡ値がより小さいほど、Ｒ−ＰＤＣＣＨ領域のブラインド復号回数を増やす。なお、ここでいうブラインド復号回数とは、各（Ｒ−）ＰＤＣＣＨ領域におけるブラインド復号回数の総数（例えば図２０ＢにおけるＰＤＣＣＨ領域のブラインド復号回数の総数は１０回）であってもよいし、各（Ｒ−）ＰＤＣＣＨ領域におけるＣＣＥ連結数（Aggregation level）毎のブラインド復号回数であってもよい。
【０２３５】
なお、図２０では、スロット０とスロット１のＲ−ＰＤＣＣＨ領域のブラインド復号回数をひとまとめにしているが、これに限定されず、スロット０とスロット１のＲ−ＰＤＣＣＨ領域のブラインド復号回数をそれぞれ独立に設定してもよい。
【０２３６】
［７］上記各実施の形態ではアンテナとして説明したが、本発明はアンテナポート（antenna port）でも同様に適用できる。
【０２３７】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０２３８】
例えば3GPP LTEにおいては、アンテナポートが何本の物理アンテナから構成されるかは規定されず、基地局が異なる参照信号（Reference signal）を送信できる最小単位として規定されている。
【０２３９】
また、アンテナポートはプリコーディングベクトル（Precoding vector）の重み付けを乗算する最小単位として規定されることもある。
【０２４０】
［８］上記各実施の形態では、本発明をハードウェアで構成する場合を例にとって説明したが、本発明はハードウェアとの連携においてソフトウェアでも実現することも可能である。
【０２４１】
上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２４２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）または、ＬＳＩ内部の回路セルの接続と設定とを再構成可能なリコンフィギュラブル・プロセッサーを利用してもよい。
【０２４３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２４４】
２０１０年９月３０日出願の特願２０１０−２２１３６８の日本出願、および、２０１１年８月１０日出願の特願２０１１−１７４８９１の日本出願に含まれる明細書、図面および要約書の開示内容は、すべて本願に援用される。
【産業上の利用可能性】
【０２４５】
本発明の送信装置及び送信方法は、送信データに対するリソース割当情報の含まれる制御情報がマッピングされるリソース領域の時間位置に関わらず、受信側におけるデータ受信処理に余裕を持たせることができるものとして有用である。
【符号の説明】
【０２４６】
１００  基地局
１０１  設定部
１０２  制御部
１０３  サーチスペース設定部
１０４  ＰＤＣＣＨ生成部
１０５，１０６，１０７  符号化・変調部
１０８  割当部
１０９  多重部
１１０，２１３  ＩＦＦＴ部
１１１，２１４  ＣＰ付加部
１１２，２１５  無線送信部
１１３，２０１  アンテナ
１１４，２０２  無線受信部
１１５，２０３  ＣＰ除去部
１１６，２０４  ＦＦＴ部
１１７  抽出部
１１８  ＩＤＦＴ部
１１９  データ受信部
１２０  ＡＣＫ／ＮＡＣＫ受信部
１３１  送信領域設定部
１３２  送信モード設定部
２００  端末
２０５  分離部
２０６  設定情報受信部
２０７  ＰＤＣＣＨ受信部
２０８  ＰＤＳＣＨ受信部
２０９，２１０  変調部
２１１  ＤＦＴ部
２１２  マッピング部
【図１】
2012042889.tif 000003
【図２】
2012042889.tif 000004
【図３】
2012042889.tif 000005
【図４】
2012042889.tif 000006
【図５】
2012042889.tif 000007
【図６】
2012042889.tif 000008
【図７】
2012042889.tif 000009
【図８】
2012042889.tif 000010
【図９】
2012042889.tif 000011
【図１０】
2012042889.tif 000012
【図１１】
2012042889.tif 000013
【図１２】
2012042889.tif 000014
【図１３】
2012042889.tif 000015
【図１４】
2012042889.tif 000016
【図１５】
2012042889.tif 000017
【図１６】
2012042889.tif 000018
【図１７】
2012042889.tif 000019
【図１８】
2012042889.tif 000020
【図１９】
2012042889.tif 000021
【図２０】
2012042889.tif 000022
【国際調査報告】
2012042889.tif 000023
2012042889.tif 000024